(57)【特許請求の範囲】
【請求項１】
ジェネリック携帯デバイスを設定する方法であって、
第１の携帯デバイスブランドおよび第２の携帯デバイスブランドの両方に関連付けられた、第１の複数のエンベデッドアプリケーションを識別する段階と、
前記第１の携帯デバイスブランドに関連付けられず、前記第２の携帯デバイスブランドに関連付けられる第２の複数のエンベデッドアプリケーションを識別する段階と、
前記第１の複数のエンベデッドアプリケーション、前記第２の複数のエンベデッドアプリケーション、および、エンベデッドロジックを前記ジェネリック携帯デバイスの第１メモリ領域にインストールする段階であって、前記エンベデッドロジックは、前記ジェネリック携帯デバイスの第２メモリ領域から読み出しを行って前記エンベデッドロジックにより有効化されるべきコンテンツを識別し、前記第２の複数のエンベデッドアプリケーションが、第２メモリ領域内の１以上の書き込み可能パラメータに基づき選択的に識別される段階と、
第１の前記ジェネリック携帯デバイスの前記第２メモリ領域へ第１パラメータを無線通信により書き込む段階を含み、前記第１のジェネリック携帯デバイスの前記第２の複数のエンベデッドアプリケーションを前記第１パラメータにより選択的に識別して有効化して、前記第１のジェネリック携帯デバイスを前記第１の携帯デバイスブランドに適合する構成とする、前記第１のジェネリック携帯デバイスをアクティブ化する段階と
を備え、
前記第１のジェネリック携帯デバイスをアクティブ化する段階は、前記第１のジェネリック携帯デバイスのアイデンティティの移動通信交換局（ＭＳＣ）へのプロビジョニングを行う段階、前記第１のジェネリック携帯デバイスの前記アイデンティティのホームロケーションレジスタ（ＨＬＲ）へのプロビジョニングを行う段階、および前記第１のジェネリック携帯デバイスの前記アイデンティティのビジターロケーションレジスタ（ＶＬＲ）へのプロビジョニングを行う段階の少なくとも１つを有する、
方法。
【請求項２】
ジェネリック携帯デバイスを設定する方法であって、
第１の携帯デバイスブランドおよび第２の携帯デバイスブランドの両方に関連付けられた、第１の複数のエンベデッドアプリケーションを識別する段階と、
前記第１の携帯デバイスブランドに関連付けられず、前記第２の携帯デバイスブランドに関連付けられる第２の複数のエンベデッドアプリケーションを識別する段階と、
前記第１の複数のエンベデッドアプリケーション、前記第２の複数のエンベデッドアプリケーション、および、エンベデッドロジックを前記ジェネリック携帯デバイスの第１メモリ領域にインストールする段階であって、前記エンベデッドロジックは、前記ジェネリック携帯デバイスの第２メモリ領域から読み出しを行って前記エンベデッドロジックにより有効化されるべきコンテンツを識別し、前記第２の複数のエンベデッドアプリケーションが、第２メモリ領域内の１以上の書き込み可能パラメータに基づき選択的に識別される段階と、
第１の前記ジェネリック携帯デバイスの前記第２メモリ領域へ第１パラメータを無線通信により書き込む段階を含み、前記第１のジェネリック携帯デバイスの前記第２の複数のエンベデッドアプリケーションを前記第１パラメータにより選択的に識別して有効化して、前記第１のジェネリック携帯デバイスを前記第１の携帯デバイスブランドに適合する構成とする、前記第１のジェネリック携帯デバイスをアクティブ化する段階と
を備え、
前記第１のジェネリック携帯デバイスの前記第２メモリ領域へ、ローミングエリア情報（ＰＲＬ）を無線通信により書き込む段階をさらに備え、
前記エンベデッドロジックはさらに、携帯電話通話の発信を行うか、または携帯電話通話の受信を行うために前記第１のジェネリック携帯デバイスの前記第２メモリ領域から読み出しを行う、
方法。
【請求項３】
第２の前記ジェネリック携帯デバイスをアクティブ化する段階であって、前記第２の携帯デバイスの前記第２メモリ領域へ第２パラメータを無線通信により書き込む段階を含み、前記第２のジェネリック携帯デバイスの前記第１の複数のエンベデッドアプリケーションおよび前記第２の複数のエンベデッドアプリケーションを前記第２パラメータにより選択的に識別して有効化して、前記第２のジェネリック携帯デバイスを前記第２の携帯デバイスブランドに適合する構成とする段階をさらに備える、請求項１または２に記載の方法。
【請求項４】
前記第１のジェネリック携帯デバイスの前記第２メモリ領域へ前記第１パラメータを無線通信により書き込む段階は、前記第１のジェネリック携帯デバイスをアクティブ化する段階の後に前記第１のジェネリック携帯デバイスへ提供される通信サービスと関連付けられた第１サービスブランドに少なくとも部分的に基づいて行われる、請求項１から３のいずれか１項に記載の方法。
【請求項５】
前記エンベデッドロジックにより有効化される前記コンテンツは、サービスブランドのターンオンスプラッシュページ、サービスブランドのターンオントーン、サービスブランドのターンオフスプラッシュページ、サービスブランドのターンオフトーン、および、サービスブランドのロゴの少なくとも１つを含む、請求項１から４のいずれか１項に記載の方法。
【請求項６】
ジェネリック携帯デバイスを設定する方法であって、
実行プラットフォームが使用する、第１サービスブランドに関連付けられた第１コンテンツを識別する段階と、
前記実行プラットフォームが使用する、第２サービスブランドに関連付けられた第２コンテンツを識別する段階と、
複数のジェネリック携帯デバイスのうち第１のジェネリック携帯デバイスをアクティブ化する段階であって、前記第１のジェネリック携帯デバイスが第１サービスブランドに関連付けられる旨の指示に基づいて、前記第１のジェネリック携帯デバイスの第１メモリ領域へ第１パラメータを無線通信により書き込む段階を含み、前記第１コンテンツは前記第１パラメータに基づき選択的に識別され有効化され、前記複数のジェネリック携帯デバイスのそれぞれは、インストールされたファームウェアおよび前記実行プラットフォームに基づいて認証される、前記第１のジェネリック携帯デバイスをアクティブ化する段階と、
前記複数のジェネリック携帯デバイスのうち第２のジェネリック携帯デバイスをアクティブ化する段階であって、前記第２のジェネリック携帯デバイスが第２サービスブランドに関連付けられる旨の指示に基づいて、前記第２のジェネリック携帯デバイスの第２メモリ領域へ第２パラメータを無線通信により書き込む段階を含み、前記第２コンテンツは前記第２パラメータに基づき選択的に識別され有効化される、前記第２のジェネリック携帯デバイスをアクティブ化する段階と、
を備え、
前記第１のジェネリック携帯デバイスを非アクティブ化する段階と、
前記第１のジェネリック携帯デバイスを、前記第１のジェネリック携帯デバイスの第１読み出し専用メモリからのジェネリック携帯デバイス出荷時設定に戻す段階と、
前記第１のジェネリック携帯デバイスを再アクティブ化する段階であって、前記第１のジェネリック携帯デバイスが第３サービスブランドに関連付けられる旨の指示に基づいて、前記第１のジェネリック携帯デバイスの第１メモリ領域へ第３パラメータを無線通信により書き込む段階を含み、前記第３サービスブランドに関連付けられた第３コンテンツは前記第３パラメータに基づき選択的に識別され有効化される、前記第１のジェネリック携帯デバイスを再アクティブ化する段階と、
をさらに備え、
前記第１サービスブランドと関連付けられた第１サービスブランドマークを外面上に有する第１バッテリカバーを、前記第１のジェネリック携帯デバイスから取り外す段階と、
前記第３サービスブランドと関連付けられた第２サービスブランドマークを外面上に有する第２バッテリカバーを、前記第１のジェネリック携帯デバイスに取り付ける段階と
をさらに備える、方法。
【請求項７】
前記第１メモリ領域および前記第２メモリ領域は前記第１のジェネリック携帯デバイスおよび前記第２のジェネリック携帯デバイスのそれぞれ互いに対応するアドレスにあり、前記ファームウェアは前記互いに対応するアドレスから読み出しを行い、前記ファームウェアが前記第１のジェネリック携帯デバイス上で実行される場合には、前記第１コンテンツを前記第１のジェネリック携帯デバイス上で提供し、前記ファームウェアが前記第２のジェネリック携帯デバイス上で実行される場合には、前記第２コンテンツを前記第２のジェネリック携帯デバイス上で提供する、請求項６に記載の方法。
【請求項８】
前記実行プラットフォームは、Ａｎｄｒｏｉｄ実行プラットフォーム、ＪＡＶＡ（登録商標）仮想マシン、Ｓｙｍｂｉａｎ実行プラットフォーム、ＢＲＥＷ実行プラットフォーム、ＷｅｂＯＳ実行プラットフォーム、およびＭｏｂｉｌｅ  Ｅｘｐｌｏｒｅｒ実行プラットフォームのうちいずれか１つである、請求項６または７に記載の方法。
【請求項９】
前記第１コンテンツは、第１サービスブランドのターンオンスプラッシュスクリーンの参照、第１サービスブランドのターンオントーンの参照、第１サービスブランドのターンオフスプラッシュスクリーンの参照、第１サービスブランドのターンオフトーントーンの参照、第１サービスブランドのロゴの参照、第１サービスブランドのボイスメールの参照、および第１サービスブランドのオンラインストアの参照のうち少なくとも１つを識別するカスタム設定パックである、請求項６から８のいずれか１項に記載の方法。
【請求項１０】
ジェネリック携帯デバイスを設定するためのサーバであって、
１以上のプロセッサと、
メモリと、
前記メモリに格納されるアプリケーションであって、前記１以上のプロセッサにより実行されると、
共通のファームウェアがインストールされた複数のジェネリック携帯デバイスのうちの１つである第１のジェネリック携帯デバイスから第１アクティブ化メッセージを受信し、
前記第１アクティブ化メッセージに応答して、前記第１のジェネリック携帯デバイスと関連付けられた第１サービスブランドを識別し、
前記第１サービスブランドに基づき、前記第１のジェネリック携帯デバイスのメモリへ、前記第１サービスブランドと関連付けられた第１ターンオンスプラッシュスクリーン、前記第１サービスブランドと関連付けられた第１ターンオントーン、前記第１サービスブランドと関連付けられた第１ターンオフスプラッシュスクリーン、前記第１サービスブランドと関連付けられた第１ターンオフトーン、前記第１サービスブランドと関連付けられた第１ボイスメールサービスへの参照、および前記第１サービスブランドと関連付けられたオンラインストアのユニバーサル参照ロケータ（ＵＲＬ）のうちの少なくとも１つである第１コンテンツを選択的に識別し有効化するための第１パラメータを無線通信により書き込み、
前記複数のジェネリック携帯デバイスのうちの第２のジェネリック携帯デバイスから第２アクティブ化メッセージを受信し、
前記第２アクティブ化メッセージに応答して、前記第２のジェネリック携帯デバイスと関連付けられた第２サービスブランドを識別し、
前記第２サービスブランドに基づき、前記第２のジェネリック携帯デバイスのメモリへ、前記第２サービスブランドと関連付けられた第２ターンオンスプラッシュスクリーン、前記第２サービスブランドと関連付けられた第２ターンオントーン、前記第２サービスブランドと関連付けられた第２ターンオフスプラッシュスクリーン、前記第２サービスブランドと関連付けられた第２ターンオフトーン、前記第２サービスブランドと関連付けられた第２ボイスメールサービスへの参照、および前記第２サービスブランドと関連付けられたオンラインストアのユニバーサル参照ロケータ（ＵＲＬ）のうちの少なくとも１つである第２コンテンツを選択的に識別し有効化するための第２パラメータを無線通信により書き込む、
アプリケーションと
を備え、
前記複数のジェネリック携帯デバイスのそれぞれにはＡｎｄｒｏｉｄ実行プラットフォームがインストールされ、
前記第１コンテンツおよび前記第２コンテンツは、前記Ａｎｄｒｏｉｄ実行プラットフォームで利用され得るよう認証される、サーバ。
【請求項１１】
ジェネリック携帯デバイスを設定するためのサーバであって、
１以上のプロセッサと、
メモリと、
前記メモリに格納されるアプリケーションであって、前記１以上のプロセッサにより実行されると、
共通のファームウェアがインストールされた複数のジェネリック携帯デバイスのうちの１つである第１のジェネリック携帯デバイスから第１アクティブ化メッセージを受信し、
前記第１アクティブ化メッセージに応答して、前記第１のジェネリック携帯デバイスと関連付けられた第１サービスブランドを識別し、
前記第１サービスブランドに基づき、前記第１のジェネリック携帯デバイスのメモリへ、前記第１サービスブランドと関連付けられた第１ターンオンスプラッシュスクリーン、前記第１サービスブランドと関連付けられた第１ターンオントーン、前記第１サービスブランドと関連付けられた第１ターンオフスプラッシュスクリーン、前記第１サービスブランドと関連付けられた第１ターンオフトーン、前記第１サービスブランドと関連付けられた第１ボイスメールサービスへの参照、および前記第１サービスブランドと関連付けられたオンラインストアのユニバーサル参照ロケータ（ＵＲＬ）のうちの少なくとも１つである第１コンテンツを選択的に識別し有効化するための第１パラメータを無線通信により書き込み、
前記複数のジェネリック携帯デバイスのうちの第２のジェネリック携帯デバイスから第２アクティブ化メッセージを受信し、
前記第２アクティブ化メッセージに応答して、前記第２のジェネリック携帯デバイスと関連付けられた第２サービスブランドを識別し、
前記第２サービスブランドに基づき、前記第２のジェネリック携帯デバイスのメモリへ、前記第２サービスブランドと関連付けられた第２ターンオンスプラッシュスクリーン、前記第２サービスブランドと関連付けられた第２ターンオントーン、前記第２サービスブランドと関連付けられた第２ターンオフスプラッシュスクリーン、前記第２サービスブランドと関連付けられた第２ターンオフトーン、前記第２サービスブランドと関連付けられた第２ボイスメールサービスへの参照、および前記第２サービスブランドと関連付けられたオンラインストアのユニバーサル参照ロケータ（ＵＲＬ）のうちの少なくとも１つである第２コンテンツを選択的に識別し有効化するための第２パラメータを無線通信により書き込む、
アプリケーションと
を備え、
前記アプリケーションはさらに、前記第１のジェネリック携帯デバイスと関連付けられたサービスプランを分析し、
前記アプリケーションは、前記第１のジェネリック携帯デバイスと関連付けられた前記サービスプランに少なくとも部分的に基づき、前記第１パラメータを書き込む、サーバ。
【請求項１２】
ジェネリック携帯デバイスを設定するためのサーバであって、
１以上のプロセッサと、
メモリと、
前記メモリに格納されるアプリケーションであって、前記１以上のプロセッサにより実行されると、
共通のファームウェアがインストールされた複数のジェネリック携帯デバイスのうちの１つである第１のジェネリック携帯デバイスから第１アクティブ化メッセージを受信し、
前記第１アクティブ化メッセージに応答して、前記第１のジェネリック携帯デバイスと関連付けられた第１サービスブランドを識別し、
前記第１サービスブランドに基づき、前記第１のジェネリック携帯デバイスのメモリへ、前記第１サービスブランドと関連付けられた第１ターンオンスプラッシュスクリーン、前記第１サービスブランドと関連付けられた第１ターンオントーン、前記第１サービスブランドと関連付けられた第１ターンオフスプラッシュスクリーン、前記第１サービスブランドと関連付けられた第１ターンオフトーン、前記第１サービスブランドと関連付けられた第１ボイスメールサービスへの参照、および前記第１サービスブランドと関連付けられたオンラインストアのユニバーサル参照ロケータ（ＵＲＬ）のうちの少なくとも１つである第１コンテンツを選択的に識別し有効化するための第１パラメータを無線通信により書き込み、
前記複数のジェネリック携帯デバイスのうちの第２のジェネリック携帯デバイスから第２アクティブ化メッセージを受信し、
前記第２アクティブ化メッセージに応答して、前記第２のジェネリック携帯デバイスと関連付けられた第２サービスブランドを識別し、
前記第２サービスブランドに基づき、前記第２のジェネリック携帯デバイスのメモリへ、前記第２サービスブランドと関連付けられた第２ターンオンスプラッシュスクリーン、前記第２サービスブランドと関連付けられた第２ターンオントーン、前記第２サービスブランドと関連付けられた第２ターンオフスプラッシュスクリーン、前記第２サービスブランドと関連付けられた第２ターンオフトーン、前記第２サービスブランドと関連付けられた第２ボイスメールサービスへの参照、および前記第２サービスブランドと関連付けられたオンラインストアのユニバーサル参照ロケータ（ＵＲＬ）のうちの少なくとも１つである第２コンテンツを選択的に識別し有効化するための第２パラメータを無線通信により書き込む、
アプリケーションと
を備え、
前記複数のジェネリック携帯デバイスは、１つの在庫保管単位（ＳＫＵ）番号と関連付けられる、サーバ。
【請求項１３】
ジェネリック携帯デバイスを設定するためのサーバであって、
１以上のプロセッサと、
メモリと、
前記メモリに格納されるアプリケーションであって、前記１以上のプロセッサにより実行されると、
共通のファームウェアがインストールされた複数のジェネリック携帯デバイスのうちの１つである第１のジェネリック携帯デバイスから第１アクティブ化メッセージを受信し、
前記第１アクティブ化メッセージに応答して、前記第１のジェネリック携帯デバイスと関連付けられた第１サービスブランドを識別し、
前記第１サービスブランドに基づき、前記第１のジェネリック携帯デバイスのメモリへ、前記第１サービスブランドと関連付けられた第１ターンオンスプラッシュスクリーン、前記第１サービスブランドと関連付けられた第１ターンオントーン、前記第１サービスブランドと関連付けられた第１ターンオフスプラッシュスクリーン、前記第１サービスブランドと関連付けられた第１ターンオフトーン、前記第１サービスブランドと関連付けられた第１ボイスメールサービスへの参照、および前記第１サービスブランドと関連付けられたオンラインストアのユニバーサル参照ロケータ（ＵＲＬ）のうちの少なくとも１つである第１コンテンツを選択的に識別し有効化するための第１パラメータを無線通信により書き込み、
前記複数のジェネリック携帯デバイスのうちの第２のジェネリック携帯デバイスから第２アクティブ化メッセージを受信し、
前記第２アクティブ化メッセージに応答して、前記第２のジェネリック携帯デバイスと関連付けられた第２サービスブランドを識別し、
前記第２サービスブランドに基づき、前記第２のジェネリック携帯デバイスのメモリへ、前記第２サービスブランドと関連付けられた第２ターンオンスプラッシュスクリーン、前記第２サービスブランドと関連付けられた第２ターンオントーン、前記第２サービスブランドと関連付けられた第２ターンオフスプラッシュスクリーン、前記第２サービスブランドと関連付けられた第２ターンオフトーン、前記第２サービスブランドと関連付けられた第２ボイスメールサービスへの参照、および前記第２サービスブランドと関連付けられたオンラインストアのユニバーサル参照ロケータ（ＵＲＬ）のうちの少なくとも１つである第２コンテンツを選択的に識別し有効化するための第２パラメータを無線通信により書き込む、
アプリケーションと
を備え、
前記アプリケーションはさらに、前記第１のジェネリック携帯デバイスのアイデンティティの移動通信交換局（ＭＳＣ）へのプロビジョニングを行うこと、前記第１のジェネリック携帯デバイスの前記アイデンティティのホームロケーションレジスタ（ＨＬＲ）へのプロビジョニングを行うこと、および前記第１のジェネリック携帯デバイスの前記アイデンティティのビジターロケーションレジスタ（ＶＬＲ）へのプロビジョニングを行うことの少なくとも１つを実行する、サーバ。
【請求項１４】
ジェネリック携帯デバイスを設定するためのサーバであって、
１以上のプロセッサと、
メモリと、
前記メモリに格納されるアプリケーションであって、前記１以上のプロセッサにより実行されると、
共通のファームウェアがインストールされた複数のジェネリック携帯デバイスのうちの１つである第１のジェネリック携帯デバイスから第１アクティブ化メッセージを受信し、
前記第１アクティブ化メッセージに応答して、前記第１のジェネリック携帯デバイスと関連付けられた第１サービスブランドを識別し、
前記第１サービスブランドに基づき、前記第１のジェネリック携帯デバイスのメモリへ、前記第１サービスブランドと関連付けられた第１ターンオンスプラッシュスクリーン、前記第１サービスブランドと関連付けられた第１ターンオントーン、前記第１サービスブランドと関連付けられた第１ターンオフスプラッシュスクリーン、前記第１サービスブランドと関連付けられた第１ターンオフトーン、前記第１サービスブランドと関連付けられた第１ボイスメールサービスへの参照、および前記第１サービスブランドと関連付けられたオンラインストアのユニバーサル参照ロケータ（ＵＲＬ）のうちの少なくとも１つである第１コンテンツを選択的に識別し有効化するための第１パラメータを無線通信により書き込み、
前記複数のジェネリック携帯デバイスのうちの第２のジェネリック携帯デバイスから第２アクティブ化メッセージを受信し、
前記第２アクティブ化メッセージに応答して、前記第２のジェネリック携帯デバイスと関連付けられた第２サービスブランドを識別し、
前記第２サービスブランドに基づき、前記第２のジェネリック携帯デバイスのメモリへ、前記第２サービスブランドと関連付けられた第２ターンオンスプラッシュスクリーン、前記第２サービスブランドと関連付けられた第２ターンオントーン、前記第２サービスブランドと関連付けられた第２ターンオフスプラッシュスクリーン、前記第２サービスブランドと関連付けられた第２ターンオフトーン、前記第２サービスブランドと関連付けられた第２ボイスメールサービスへの参照、および前記第２サービスブランドと関連付けられたオンラインストアのユニバーサル参照ロケータ（ＵＲＬ）のうちの少なくとも１つである第２コンテンツを選択的に識別し有効化するための第２パラメータを無線通信により書き込む、
アプリケーションと
を備え、
前記アプリケーションはさらに、前記第１のジェネリック携帯デバイスの前記メモリへ、ローミングエリア情報を無線通信により書き込むことを実行する、
サーバ。
【請求項１５】
前記サーバは、複数のコンピュータにある複数のプロセッサを有する、請求項１０から１４のいずれか１項に記載のサーバ。
【請求項１６】
前記第１サービスブランドに基づき前記アプリケーションは、前記第１のジェネリック携帯デバイスの前記メモリへ他のパラメータを無線通信により書き込み、前記複数のジェネリック携帯デバイスにインストールされた共通のファームウェアの休止状態にある機能を有効化する、請求項１０から１５のいずれか１項に記載のサーバ。
【請求項１７】
前記複数のジェネリック携帯デバイスのそれぞれは単一の認証処理により認証される、請求項１０から１６のいずれか１項に記載のサーバ。
【請求項１８】
前記第１メモリ領域は読み出し専用メモリ（ＲＯＭ）であり、前記第２メモリ領域はランダムアクセスメモリ（ＲＡＭ）である請求項１から５のいずれか１項に記載の方法。
【発明の詳細な説明】
【技術分野】
【０００１】
携帯電話は、携帯電話基地局またはセルサイトとして知られる基地局により提供されるネットワーク接続性に基づきモバイル音声通信またはモバイルデータ通信を行うべく用いられる電子装置である。電子装置は電子シリアル番号（ＥＳＮ）、在庫保管単位（ＳＫＵ）、および他の識別情報と関連付けられることがある。電子装置は、エンドユーザへの流通に適した販売時点管理パッケージで、操作マニュアル、警告書類、充電機器、および他の付属品と共にパッケージ化されることがある。それぞれが電子装置を含む複数の販売時点管理パッケージが小売店または事業拠点へまとめて発送されることがある。発送される前に電子装置は、固有のパッケージ、ハードウェアおよびソフトウェアブランド設定、特徴、並びに機能を有するよう設定されていることがある。
【発明の概要】
【課題を解決するための手段】
【０００２】
本発明の第１の態様においては、ジェネリック携帯デバイスを設定する方法であって、第１の携帯デバイスブランドおよび第２の携帯デバイスブランドの両方に関連付けられた、第１の複数のエンベデッドアプリケーションを識別する段階と、前記第１の携帯デバイスブランドに関連付けられず、前記第２の携帯デバイスブランドに関連付けられる第２の複数のエンベデッドアプリケーションを識別する段階と、前記第１の複数のエンベデッドアプリケーション、前記第２の複数のエンベデッドアプリケーション、および、エンベデッドロジックを前記ジェネリック携帯デバイスの第１メモリ領域にインストールする段階であって、前記エンベデッドロジックは、前記ジェネリック携帯デバイスの第２メモリ領域から読み出しを行って前記エンベデッドロジックにより有効化されるべきコンテンツを識別し、前記第２の複数のエンベデッドアプリケーションが、第２メモリ領域内の１以上の書き込み可能パラメータに基づき選択的に識別される段階と、第１の前記ジェネリック携帯デバイスの前記第２メモリ領域へ第１パラメータを無線通信により書き込む段階を含み、前記第１のジェネリック携帯デバイスの前記第１の複数のエンベデッドアプリケーションを前記第１パラメータにより選択的に識別して有効化して、前記第１のジェネリック携帯デバイスを前記第１の携帯デバイスブランドに適合する構成とする、前記第１のジェネリック携帯デバイスをアクティブ化する段階とを備える方法を提供する。
本発明の第２の態様においては、ジェネリック携帯デバイスを設定する方法であって、実行プラットフォームが使用する、第１サービスブランドに関連付けられた第１コンテンツを識別する段階と、前記実行プラットフォームが使用する、第２サービスブランドに関連付けられた第２コンテンツを識別する段階と、複数のジェネリック携帯デバイスのうち第１のジェネリック携帯デバイスをアクティブ化する段階であって、前記第１のジェネリック携帯デバイスが第１サービスブランドに関連付けられる旨の指示に基づいて、前記第１のジェネリック携帯デバイスの第１メモリ領域へ第１パラメータを無線通信により書き込む段階を含み、前記第１コンテンツは前記第１パラメータに基づき選択的に識別され有効化され、前記複数のジェネリック携帯デバイスのそれぞれは、インストールされたファームウェアおよび前記実行プラットフォームに基づいて認証される、前記第１のジェネリック携帯デバイスをアクティブ化する段階と、前記複数のジェネリック携帯デバイスのうち第２のジェネリック携帯デバイスをアクティブ化する段階であって、前記第２のジェネリック携帯デバイスが第２サービスブランドに関連付けられる旨の指示に基づいて、前記第２のジェネリック携帯デバイスの第２メモリ領域へ第２パラメータを無線通信により書き込む段階を含み、前記第２コンテンツは前記第２パラメータに基づき選択的に識別され有効化される、前記第２のジェネリック携帯デバイスをアクティブ化する段階と、を備える方法を提供する。
本発明の第３の態様においては、ジェネリック携帯デバイスを設定するためのサーバであって、１以上のプロセッサと、メモリと、前記メモリに格納されるアプリケーションであって、前記１以上のプロセッサにより実行されると、共通のファームウェアがインストールされた複数のジェネリック携帯デバイスのうちの１つである第１のジェネリック携帯デバイスから第１アクティブ化メッセージを受信し、前記第１アクティブ化メッセージに応答して、前記第１のジェネリック携帯デバイスと関連付けられた第１サービスブランドを識別し、前記第１サービスブランドに基づき、前記第１のジェネリック携帯デバイスのメモリへ、前記第１サービスブランドと関連付けられた第１ターンオンスプラッシュスクリーン、前記第１サービスブランドと関連付けられた第１ターンオントーン、前記第１サービスブランドと関連付けられた第１ターンオフスプラッシュスクリーン、前記第１サービスブランドと関連付けられた第１ターンオフトーン、前記第１サービスブランドと関連付けられた第１ボイスメールサービスへの参照、および前記第１サービスブランドと関連付けられたオンラインストアのユニバーサル参照ロケータ（ＵＲＬ）のうちの少なくとも１つである第１コンテンツを選択的に識別し有効化するための第１パラメータを無線通信により書き込み、前記複数のジェネリック携帯デバイスのうちの第２のジェネリック携帯デバイスから第２アクティブ化メッセージを受信し、前記第２アクティブ化メッセージに応答して、前記第２のジェネリック携帯デバイスと関連付けられた第２サービスブランドを識別し、前記第２サービスブランドに基づき、前記第２のジェネリック携帯デバイスのメモリへ、前記第２サービスブランドと関連付けられた第２ターンオンスプラッシュスクリーン、前記第２サービスブランドと関連付けられた第２ターンオントーン、前記第２サービスブランドと関連付けられた第２ターンオフスプラッシュスクリーン、前記第２サービスブランドと関連付けられた第２ターンオフトーン、前記第２サービスブランドと関連付けられた第２ボイスメールサービスへの参照、および前記第２サービスブランドと関連付けられたオンラインストアのユニバーサル参照ロケータ（ＵＲＬ）のうちの少なくとも１つである第２コンテンツを選択的に識別し有効化するための第２パラメータを無線通信により書き込む、アプリケーションとを備えるサーバを提供する。
一実施形態において、携帯電話に対し無線通信サービスを提供する方法が開示される。方法は、共に同モデルのジェネリック携帯電話をベースとする第１ブランドの携帯電話モデルおよび第２ブランドの携帯電話モデルの両方に用いられる、第１の複数のエンベデッドアプリケーションを識別する段階を含む。方法はさらに、第１ブランドの携帯電話モデルに用いられ、第２ブランドの携帯電話モデルに用いられない第２の複数のエンベデッドアプリケーションを識別する段階と、ジェネリック携帯電話のメーカに対し、ジェネリック携帯電話の読み出し専用メモリ（ＲＯＭ）内に第１の複数のエンベデッドアプリケーションをインストールするよう指示し、ジェネリック携帯電話のメーカに対し、ジェネリック携帯電話の読み出し専用メモリ内に第２の複数のエンベデッドアプリケーションをインストールするよう指示する段階であり、第２の複数のエンベデッドアプリケーションの機能は、ジェネリック携帯電話のランダムアクセスメモリ（ＲＡＭ）内の１以上の書き込み可能パラメータに基づき有効化される段階を含む。方法はさらに、ジェネリック携帯電話のメーカに対し、ジェネリック携帯電話の読み出し専用メモリ内に、ジェネリック携帯電話のランダムアクセスメモリ内の第１の場所から読み出しを行いエンベデッドロジックにより与えられるべきコンテンツの参照を得るエンベデッドロジックをインストールするよう指示する段階と、第１ブランドの携帯電話モデルである第１携帯電話をアクティブ化する段階と、第１携帯電話をアクティブ化する段階に応答して、第１ブランドの携帯電話モデルに適合する構成とする第１携帯電話のランダムアクセスメモリ内の第１の場所へ第１のコンテンツの参照を無線通信により書き込む段階とを含む。
【０００３】
一実施形態において、携帯電話に対し無線通信サービスを提供する方法が開示される。方法は、ジェネリック携帯電話のメーカに対し、ジェネリック携帯電話にファームウェアをインストールするよう指示する段階であり、ジェネリック携帯電話は、ファームウェア、およびジェネリック携帯電話にインストールされた実行プラットフォームに基づいて認証される段階と、実行プラットフォームが利用できるように第１コンテンツを認証する段階と、実行プラットフォームが利用できるように第２コンテンツを認証する段階とを含む。方法はさらに、複数のジェネリック携帯電話のうち１つである第１携帯電話をアクティブ化する段階と、第１携帯電話をアクティブ化する段階に応答して、第１携帯電話と関連付けられた第１サービスブランドを自動的に識別する段階と、第１サービスブランドに基づき、第１携帯電話モバイルデバイスの第１メモリ領域へ、第１コンテンツの参照を無線通信により書き込む段階とを含む。方法はさらに、複数のジェネリック携帯電話のうち他の１つである第２携帯電話をアクティブ化する段階と、第２携帯電話をアクティブ化する段階に応答して、第２携帯電話と関連付けられた第２サービスブランドを自動的に識別する段階と、第２サービスブランドに基づき、第２携帯電話モバイルデバイスの第２メモリ領域へ、第２コンテンツの参照を無線通信により書き込む段階とを含む。
【０００４】
一実施形態において、サービスアウェアネスプロビジョニングサーバが開示される。サーバは、１以上のプロセッサと、メモリと、メモリに格納されるアプリケーションであり、１以上のプロセッサにより実行されると、複数のジェネリック携帯電話のうちの１つである第１携帯電話から第１アクティブ化メッセージを受信するアプリケーションを含む。第１アクティブ化メッセージに応答して、サーバは、第１携帯電話と関連付けられた第１サービスブランドを識別し、第１サービスブランドに基づき、第１携帯電話のメモリへ、第１サービスブランドと関連付けられた第１ターンオンスプラッシュスクリーン、第１サービスブランドと関連付けられた第１ターンオントーン、第１サービスブランドと関連付けられた第１ターンオフスプラッシュスクリーン、第１サービスブランドと関連付けられた第１ターンオフトーン、第１サービスブランドと関連付けられた第１ボイスメールサービスへの参照、および第１サービスブランドと関連付けられたオンラインストアのユニバーサル参照ロケータ（ＵＲＬ）のうちいずれか１つである第１コンテンツの参照を無線通信により書き込む。サーバは、複数のジェネリック携帯電話のうち他の１つである第２携帯電話から第２アクティブ化メッセージを受信し、第２アクティブ化メッセージに応答して、第２携帯電話と関連付けられた第２サービスブランドを識別し、第２サービスブランドに基づき、第２携帯電話のメモリへ、第２サービスブランドと関連付けられた第２ターンオンスプラッシュスクリーン、第２サービスブランドと関連付けられた第２ターンオントーン、第２サービスブランドと関連付けられた第２ターンオフスプラッシュスクリーン、第２サービスブランドと関連付けられた第２ターンオフトーン、第２サービスブランドと関連付けられた第２ボイスメールサービスへの参照、および第２サービスブランドと関連付けられたオンラインストアのユニバーサル参照ロケータ（ＵＲＬ）のうちいずれか１つである第２コンテンツの参照を無線通信により書き込む。
【０００５】
これらおよび他の特徴は、添付の図面および特許請求の範囲と関連して示される以下の詳細な説明により、よりよく理解いただけるであろう。
【図面の簡単な説明】
【０００６】
本願発明をよりよく理解いただけるよう、添付の図面および詳細な説明と関連して以下の説明を参照し説明を行う。同様の符号は同様の部位を示す。
【図１】図１は、本願発明の一実施形態に係るプロビジョニングシステムを示すブロック図である。
【図２】図２は、本願発明の一実施形態に係るデバイス設定の各レベルを示す。
【図３】図３は、本願発明の一実施形態に係る方法を示すフローチャートである。
【図４】図４は、本願発明の一実施形態に係る方法を示すフローチャートである。
【図５】図５は、本願発明の一実施形態に係るモバイルデバイスを示す。
【図６】図６は、本願発明の一実施形態に係るモバイルデバイスを示すブロック図である。
【図７】図７は、本願発明の一実施形態に係るモバイルデバイスのソフトウェアアーキテクチャを示すブロック図である。
【図８】図８は、本願発明の一実施形態に係るコンピュータシステムを示すブロック図である。
【発明を実施するための形態】
【０００７】
１以上の実施形態の例示的な実施例を以下に説明するが、従来から公知の、または現時点で存在しない技術の１以上を用いて、本願発明のシステムおよび方法を実施してもよい。本願発明は以下に説明する例示的な実施例、図面、および技術によって限定されず、特許請求項の態様、およびその同等物の態様の範囲内で変更を加えることが可能である。
【０００８】
ジェネリック装置を携帯電子デバイスとして設定するシステムおよび方法について説明する。携帯電子デバイスの各モデル、各ブランド、さらには各色に合わせた固有の装置設定が必要であることにより、在庫保管単位（ＳＫＵ）を購入可能な個別の製品毎に分けることが必要となり、在庫管理および流通の面で複雑さが増している。これら固有の設定があることにより、携帯電子デバイスのファームウェアの一部として届けられる特徴およびエンベデッドアプリケーションもまた固有なものとなる。特徴とアプリケーションとの組み合わせが互いに異なることにより、例えば、行われるテストおよび認証処理が広範なものとなり、よって、携帯電子デバイスの実際のハードウェアのコストに加え、オーバーヘッドコストが増大する。固有の設定の必要性を低減させるべく、携帯電話モデルの複数のバージョンに亘ってブランド設定またはカスタム設定に関わらず用いられるアプリケーションを識別し、ジェネリック携帯電話と共に届けられるファームウェア内でそれらエンベデッドアプリケーションをパッケージ化する分析が行われる。場合によっては、このファームウェアはジェネリックファームウェアと呼ばれることがある。全てのバージョンでは用いられない任意のエンベデッドアプリケーションは、ジェネリックファームウェア内でパッケージ化された状態で、有効化または無効化されてよい。これにより相手先商標製品の製造会社（ＯＥＭ）は、最小限のブランド設定のみが行われた、若しくはブランド設定が全く行われてない状態で、そのまま用いることが出来るデフォルト設定を届けることが可能となる。その後サービス提供者は、改善されたプロビジョニング処理を通じ、サービスアクティブ化の際に適宜、ブランド設定およびカスタム設定を行う。
【０００９】
一実施形態において、ファームウェアは携帯電子デバイスの読み出し専用メモリ（ＲＯＭ）内に格納されており、これにより、当該携帯電子デバイスの一般ユーザは、容易にファームウェアの書き換えまたは上書きを行うことが出来ない。典型的には、携帯電子デバイスの基本機能を損なうことがないよう携帯電子デバイスの一般ユーザは、ファームウェアの書き換えまたは削除、若しくは携帯電子デバイスへのファームウェアのダウンロードを容易に行えない。コンフィギュレーションデータは、ユーザが例えば装置および／またはアプリケーションの設定用インタフェースを用いて、携帯電子デバイスのメモリへの書き込み、当該メモリ内での変更、または当該メモリからの削除が場合によっては可能である点で、ファームウェアとは対照的である。さらに、アプリケーションは、ユーザが携帯電子デバイスへのダウンロードまたは格納、携帯電子デバイス上での実行、若しくは携帯電子デバイスからの削除を行える点で、ファームウェアとは対照的である。
【００１０】
図１は、通信システム１０を示す。システム１０は、携帯電話１２、基地局（ＢＴＳ）１４、ネットワーク１６、およびサービスアウェアネスプロビジョニングサーバ４０を有する。携帯電話１２は、携帯電話、携帯端末（ＰＤＡ）、メディアプレーヤ、または通信が有効化された他の携帯電子デバイスであってよい。一実施形態において、携帯電話１２はハンドセットとして実装される。ハンドセットの詳細は、以下にさらに説明する。基地局１４は携帯電話１２に対し通信リンクを提供し、携帯電話１２とネットワーク１６とを関連付ける。一実施形態において、基地局１４は、符号分割多重アクセス（ＣＤＭＡ）無線プロトコル、グローバルシステムフォーモバイルコミュニケーションズ（ＧＳＭ（登録商標））無線プロトコル、ロングタームエボリューション（ＬＴＥ）無線プロトコル、ワイマックス（ＷｉＭＡＸ）無線プロトコル、および他の無線プロトコルのうち１以上に準拠して、携帯電話１２に対し無線通信リンクを提供する。図１には１つの基地局１４のみを示しているが、通信システム１０は、複数の基地局１４および複数の携帯電話１２を含んでよい。ネットワーク１６は、パブリック通信ネットワーク、プライベート通信ネットワーク、またはこれらの組み合わせであってよい。
【００１１】
携帯電話１２は、無線送受信機２０、第１ユーザインタフェース２２、および第１メモリ２４を含んでよい。代替的に、携帯電話１２は、２以上の無線送受信機２０を含んでよい。第１メモリ２４は、第１読み出し専用メモリ（ＲＯＭ）２６および第１ランダムアクセスメモリ（ＲＡＭ）２８を含んでよい。サービスアウェアネスプロビジョニングサーバ４０は、プロセッサ４２、メモリ４４、およびメモリ４４内に格納されたアプリケーション４６を含んでよい。サービスアウェアネスプロビジョニングサーバ４０は、複数のコンピュータ内にある複数のプロセッサも含んでよい。コンピュータについては以下にさらに詳細に説明する。
【００１２】
アプリケーション４６は、サービスアウェアネスプロビジョニングサーバ４０のプロセッサ４２によって実行されると、複数のジェネリック携帯電話１２のうちの１つである第１携帯電話１２から第１アクティブ化メッセージを受信してよい。第１アクティブ化メッセージに応答して、アプリケーション４６は第１携帯電話１２と関連付けられた第１サービスブランドを識別し、第１サービスブランドに基づき、第１携帯電話１２の第１ランダムアクセスメモリ２８へ、第１コンテンツの参照が無線通信により書き込まれる。アプリケーション４６は、第１携帯電話１２の電話番号、第１携帯電話１２の電子シリアル番号（ＥＳＮ）、第１携帯電話１２の移動加入者番号（ＭＳＮ）、第１携帯電話１２の他の識別情報、および／またはこれらの組み合わせを用いて、第１携帯電話１２に対しプロビジョニングされた無線通信サービスを格納されたデータ（図示せず）内で調べ、第１サービスブランドを第１携帯電話１２に対し関連付けてよい。
【００１３】
参照により識別された第１コンテンツは、第１サービスブランドと関連付けられた第１ターンオンスプラッシュスクリーン、第１サービスブランドと関連付けられた第１ターンオントーン、第１サービスブランドと関連付けられた第１ターンオフスプラッシュスクリーン、第１サービスブランドと関連付けられた第１ターンオフトーン、第１サービスブランドと関連付けられた第１ボイスメールサービスの電話番号、第１ボイスメールサービスを参照するショートコード、第１ボイスメールサービスへの他の参照および／またはアドレス、および第１サービスブランドと関連付けられたオンラインストアのユニバーサル参照ロケータ（ＵＲＬ）のうち１以上であってよい。参照されるコンテンツの１以上は、第１携帯電話１２の第１ランダムアクセスメモリ２８内に格納されてよい。場合によっては、ボイスメールサービスの電話番号は、ダイアルアップ番号と呼ばれることもある。代替的に、参照されるコンテンツの１以上は他の場所に格納され、基地局１４およびネットワーク１６を介して第１携帯電話１２がアクセスすることが出来てよい。動作において、第１携帯電話１２は参照を用いてコンテンツを提供する。例えば、第１携帯電話１２が電源オンのブート処理を行うとき、第１携帯電話１２はターンオンスプラッシュスクリーンの参照を含むよう割り当てられた第１ランダムアクセスメモリ２８内の場所へアクセスし、ターンオンスプラッシュスクリーンのコンテンツの参照に従い、コンテンツを読み出し、ターンオンスプラッシュスクリーンのコンテンツを提供する。
【００１４】
その後、アプリケーション４６は、複数のジェネリック携帯電話１２のうち１つである第２携帯電話１２から第２アクティブ化メッセージを受信してよい。第２アクティブ化メッセージに応答して、アプリケーション４６は第２携帯電話１２と関連付けられた第２サービスブランドを識別し、第２サービスブランドに基づき、第２携帯電話１２の第１ランダムアクセスメモリ２８へ、第２コンテンツの参照が無線通信により書き込まれる。第２コンテンツは、第２サービスブランドと関連付けられた第２ターンオンスプラッシュスクリーン、第２サービスブランドと関連付けられた第２ターンオントーン、第２サービスブランドと関連付けられた第２ターンオフスプラッシュスクリーン、第２サービスブランドと関連付けられた第２ターンオフトーン、第２サービスブランドと関連付けられた第２ボイスメールサービスの電話番号、第２ボイスメールサービスを参照するショートコードまたは他の参照、および第２サービスブランドと関連付けられたオンラインストアのユニバーサル参照ロケータ（ＵＲＬ）のうち１以上である。
【００１５】
一実施形態において、携帯電話１２の第１サービスブランドに基づき、アプリケーション４６は第１携帯電話１２の第１ランダムアクセスメモリ２８へ、パラメータを無線通信により書き込み、携帯電話１２の第１読み出し専用メモリ２６にインストールされるエンベデッドアプリケーションの機能を有効化する。例えば、ボイスメールサービスなど携帯電話１２の第１サービスブランドに特有の特徴がメーカから受け取るジェネリック携帯電話１２のファームウェア内にインストールされ、かつ、無効化されていてよい。プロビジョニング処理の間、第１サービスブランドを識別し次第、アプリケーション４６は適切なボイスメールサービスを有効化してよい。一実施形態において、アプリケーション４６は携帯電話１２の第１サービスブランドだけではなく、携帯電話１２と関連付けられたサービスプランもさらに分析し、関連付けられたサービスプランに基づき第１コンテンツの参照を書き込む。これによりサービス提供者は、提供するサービスプランに基づき特定のコンテンツをユーザへ届けることが出来る。例えば、制限されたデータプランのサービスを受けるユーザは、動画サービスのメニュー項目が取り除かれたコンテンツを受信する。
【００１６】
ジェネリック携帯電話１２は単一の認証処理によって認証され得、これにより、相手先商標製品の製造会社が要する認証コストが低減される。一実施形態において、ジェネリック携帯電話１２にはＡｎｄｒｏｉｄ実行プラットフォームがインストールされており、Ａｎｄｒｏｉｄ実行プラットフォームが利用できるように第１コンテンツおよび第２コンテンツが認証される。実行プラットフォームが利用できるように第１コンテンツおよび第２コンテンツが認証されるので、第１コンテンツおよび第２コンテンツは、特定のジェネリック携帯電話モデルのために再度認証される必要がない。一実施形態において、ジェネリック携帯電話１２は１つの在庫保管単位番号と関連付けられ、これによりサービス提供者は、より良好なスケールメリットおよび単純化した在庫管理を活用することが出来る。より良好なスケールメリットは、例えば、相手先商標製品の製造会社から１０種類のカスタム設定された携帯電話をそれぞれ１０万台ずつ購入するのではなく、同じ相手先商標製品の製造会社からジェネリック携帯電話１２を１００万台購入することによって得られる。同様に、より良好なスケールメリットは、小売店および／または流通センターでの在庫保管においても得られる。例えば、小売店で５０種類の異なる電話モデルをそれぞれ１０台ずつ抱えるのが習慣であるとすれば、在庫には５００台の電話があることになる。しかし電話の一週間あたりの売上台数をおよそ１００台とすれば、ジェネリック携帯電話の在庫数を２００台として在庫投資を大幅に減らしつつ、購買需要に応じることが出来る。販売される５０の異なる電話モデルを別々に在庫として有する必要がなくなるので、電話を注文して在庫を維持する処理が単純化される。同じ例が流通センターに関しても当てはまり、これにより、小売店の場合に実現出来るよりも大幅な在庫削減が可能となり得る。
【００１７】
図１は、携帯電話１２とネットワーク１６との間の無線通信リンクを含む通信システム１０を示す。なおサービスプロビジョニングサーバ４０は、流通センターかまたは倉庫にあってもよく、プロビジョニングイベントのいくつか、もしくは全てが、流通センターで完了してもよい。これにより、例えば複数の携帯電話１２を販売店舗または大企業顧客へ発送する前に、ブランド設定およびカスタム設定を行うことが可能となる。いくつかの実施形態において、ブランド設定はさらに、適切なブランドと関連付けられた表面マークが付されたバッテリカバーを取り付けることを含んでよい。そのようなバッテリカバーが取り除かれ交換されることにより、携帯電話のブランド設定を容易かつ安価にし直すことが出来るようにしてもよい。この処理においては、例えば、第１ブランドと関連付けられた表面マークを有するバッテリカバーを取り外し、第２ブランドと関連付けられた表面マークを有する他のバッテリカバーと取り換えることによって行われる。表面マークは、ペイントされたマーク、刻み込まれたマーク、バッテリカバーの材料に刻印されたマーク、バッテリカバーの材料に成形されたマーク、バッテリカバーに転写されたシールまたはステッカー、若しくは他の視認可能なマークであってよい。
【００１８】
図２は、構成サイクルにおける装置を示す階層１００を示し、プロビジョニング処理において、どのようにジェネリック装置のブランド設定およびカスタム設定が行われるかを示す。階層１００は、複数のジェネリック携帯電話１０２を含み、それら複数のジェネリック携帯電話１０２から複数の第１サービスブランドの携帯電話１１２および複数の第２サービスブランドの携帯電話１１４へと枝分かれしている。第１サービスブランドの携帯電話１１２は複数の第１カスタム設定された携帯電話１２２および複数の第２カスタム設定された携帯電話１２４へと枝分かれしている。第２サービスブランドの携帯電話１１４は、複数の第３カスタム設定された携帯電話１２６および複数の第４カスタム設定された携帯電話１２８へと枝分かれしている。相手先商標製品の製造会社は単一のジェネリック構成をサービス提供者に届けるだけでよいので、単一の認証および単一の在庫保管単位を採用するだけでよい。サービス提供者は複数のブランドのサービスを提供していてよい。サービス提供者はフレキシブルに、プロビジョニング処理を利用して複数のジェネリック携帯電話１０２のアップデートを行い、それぞれブランドごとに固有の構成を有する第１の複数のブランド設定された携帯電話１１２および第２の複数のブランド設定された携帯電話１１４を作成することが出来る。さらに、ブランド毎にさらにカスタム設定を行うことが出来、このカスタム設定により、第１の複数のブランド設定された携帯電話１１２のアップデートを行い、第１の複数のカスタム設定された携帯電話１２２および第２の複数のカスタム設定された携帯電話１２４を作成することが出来、第２の複数のブランド設定された携帯電話１１４のアップデートを行い、第３の複数のカスタム設定された携帯電話１２６および第４の複数のカスタム設定された携帯電話１２８を作成することが出来る。例えば、サービス提供者は、１つのブランド内で、大企業顧客向けに特定のアプリケーションを有する複数のブランド設定された携帯電話１１２のカスタム設定を行う必要があり得、若しくは、カスタム設定された携帯電話モデルにより特定の顧客層をターゲットとすることを所望することもある。
【００１９】
一実施形態において、アクティブ化済みの、第１ブランドの携帯電話１１２が非アクティブ化させられる。第１ブランドの携帯電話１１２は、第１ブランドの携帯電話１１２の第１読み出し専用メモリからのジェネリック携帯電話１０２の出荷時の設定へと戻されてもよい。これによって第１ジェネリック携帯電話１０２は再びアクティブ化されてよく、第１ジェネリック携帯電話１０２を再アクティブ化する段階に応答して、第３サービスブランドが自動的に識別され、第１ジェネリック携帯電話１０２と関連付けられる。第３サービスブランドに基づいて、第１ジェネリック携帯電話１０２の第１メモリ領域へ、第３コンテンツの参照が無線通信により書き込まれる。このやり方により、サービス提供者はファームウェアの再フラッシングを行うことなく、１つのブランドから他のブランドへ在庫の入れ替えを行うことが出来る。従来の習慣では、ファームウェアのブランド設定が行われた携帯電話が届けられるので、電話をジェネリックなもの、若しくはブランド設定が行われていないものにする手段が存在しなかった。電話の再ブランド設定を行うには、別のファームウェアを電話へロードする必要があり、１つのブランドから他のブランドへの在庫の入れ替えを、困難かつ高コストな処理としていた。一実施形態において、ジェネリック携帯電話１０２の出荷時の設定は、圧縮フォーマットで、第１ブランドの携帯電話１１２の第１読み出し専用メモリに格納される。
【００２０】
上述したカスタム設定のデバイス設定方法に加え、ジェネリック携帯電話１０２のハードウェアおよびパッケージ化に関して同様の処理を実行することが可能である。例えば、デバイスのハードウェア上のブランド表示を完全にデバイスの表面から取り除くか、バッテリカバーへと移動させることも考え得る。この際、ソフトウェアによるブランド表示が画面上にロゴを表示させ続けることによって行われる。サービス提供者はハードウェア上のブランド表示を、単にバッテリカバーを取り換えることによって変更することが出来る。これにより、フレキシビリティが増し、サービス提供者が複数のブランドに対応することによって発生するコストを減らすことが出来る。同様に、ブランド設定が行われていない相手先商標製品の製造会社のジェネリック携帯電話１０２をブランド表示がされていないパッケージに挿入することが出来る。そのようなパッケージには、受注手配およびブランド設定に応じて倉庫で行われる印刷またはラベル貼りに用いられる空白のスペースが設けられている。
【００２１】
図３は、方法２００を示す。ブロック２０２において、共に同モデルのジェネリック携帯電話をベースとする第１ブランドの携帯電話モデルおよび第２ブランドの携帯電話モデルの両方に用いられる、第１の複数のエンベデッドアプリケーションが識別される。同モデルのジェネリック携帯電話には同じファームウェアがインストールされてよい。同モデルのジェネリック携帯電話は同じか、または異なるハードウェアを有する。例えば、一実施形態において、第１の組のジェネリック携帯電話は第１の低価格カメラ装置を備えてよく、第２の組のジェネリック携帯電話は第２の高価格カメラ装置を備えてよい。他の例として、一実施形態において、第１の組のジェネリック携帯電話はスピーカフォン動作の性能を向上させる第２スピーカを備えてよく、第２の組のジェネリック携帯電話は第２スピーカを備えていなくてもよい。ブロック２０４において、第１ブランドの携帯電話モデルに用いられ、第２ブランドの携帯電話モデルに用いられない第２の複数のエンベデッドアプリケーションが識別される。第１の複数のエンベデッドアプリケーションは、全モデルの携帯電話に与えられてよい共通の機能を備え、第２の複数のエンベデッドアプリケーションは、ジェネリック携帯電話のサブセットに設けられ得、ジェネリック携帯電話では無効化されていてよい機能を備えてよい。第２の複数のエンベデッドアプリケーションの機能を有する対象モデルとなるよう携帯電話１２のブランド設定を行う際、対象アプリケーションは、プロビジョニングサーバ４０または他のデバイスにより有効化されてよい。
【００２２】
ブロック２０６において、ジェネリック携帯電話１２のメーカは、例えば仕様書において、ジェネリック携帯電話の読み出し専用メモリ２６内に第１の複数のエンベデッドアプリケーションをインストールするよう指示される。全ブランドまたは販路に亘って共有されるアプリケーションまたは特徴は、デバイスのメーカから届けられる時点で、ジェネリック携帯電話１２のファームウェア内にまとめて格納されるエンベデッドアプリケーションに含まれてよい。ブロック２０８において、ジェネリック携帯電話のメーカは、仕様書により、ジェネリック携帯電話１２の読み出し専用メモリ２６内に第２の複数のエンベデッドアプリケーションをインストールするよう指示される。第２の複数のエンベデッドアプリケーションの機能は、ジェネリック携帯電話のランダムアクセスメモリ２８内の少なくとも１つの書き込み可能なパラメータに基づき有効化される。１つのブランドまたは販路に固有のアプリケーションは、ジェネリック携帯電話１２にインストールされるファームウェアに設けられてよいが、デバイスのメーカによって届けられるデフォルトの設定では無効化の状態となっている。ブロック２１０において、ジェネリック携帯電話１２のメーカは、仕様書により、ジェネリック携帯電話１２のメモリ２６内に、ジェネリック携帯電話１２のランダムアクセスメモリ内の第１の場所から読み出しを行いエンベデッドロジックにより与えられるべきコンテンツの参照を得る、エンベデッドロジックをインストールするよう指示される。メーカは、ランダムアクセスメモリ２８内に格納されるオン／オフスイッチに基づき、第２の複数のエンベデッドアプリケーションを有効化するロジックと併せて、ジェネリック携帯電話１２へ全てのエンベデッドアプリケーションをインストールする。例えば、ファームウェアは、ランダムアクセスメモリ２８内の適切な場所から読み出しを行い、特徴および／または機能が有効化されているか無効化されているかの判断を行う。
【００２３】
ブロック２１２において、第１ブランドの携帯電話モデルである第１携帯電話１２がアクティブ化される。ブロック２１４において、第１携帯電話１２をアクティブ化する段階に応答して、第１携帯電話１２のランダムアクセスメモリ２８内の第１の場所、第１のコンテンツの参照を無線通信により書き込む。ここで第１携帯電話１２は第１ブランドの携帯電話モデルに適合する構成とされる。第１携帯電話１２の最初の無線通信によるアクティブ化の一部として、第１サービスブランドが識別され、例えば画像電子メールまたはボイスメールプロバイダーなどの第１ブランドの携帯電話モデルと関連付けられたエンベデッドアプリケーションのオン／オフスイッチの場所に無線通信により書き込みを行い、第１サービスブランドの適切なエンベデッドアプリケーションの有効化が行われる。
【００２４】
一実施形態において、方法２００は、第２ブランドの携帯電話モデルである第２携帯電話１２をアクティブ化する段階をさらに含む。第２携帯電話１２をアクティブ化する段階に応答して、第２携帯電話１２のランダムアクセスメモリ２８内の第１の場所へ第２のコンテンツの参照を無線通信により書き込む。第１のコンテンツの参照と第２のコンテンツの参照とは互いに異なり、よって第２携帯電話１２は、第２ブランドの携帯電話モデルに従って、第１携帯電話１２とは異なる構成とされる。言い換えると、第２携帯電話１２が用いられる場合、ファームウェアはランダムアクセスメモリ２８内の第１の場所から読み出しを行い、メモリの第１の場所に含まれるコンテンツの参照に従いコンテンツを読み出し、第１携帯電話１２で提供される対応するコンテンツとは異なるコンテンツを提供する。これにより第２携帯電話１２は、スタートアップにおける異なるスプラッシュスクリーンおよび異なるパワーオントーンなど第１携帯電話１２は異なる対応するコンテンツを提供し得る点で、第１携帯電話１２とは少なくとも部分的に異なるものとなる。第２携帯電話１２の最初の無線通信によるアクティブ化の一部として、第２サービスブランドが識別され、第２ブランドの携帯電話モデルと関連付けられたエンベデッドアプリケーションのオン／オフスイッチの場所に無線通信により書き込みを行い、第２サービスブランドの適切なエンベデッドアプリケーションの有効化が行われる。
【００２５】
一実施形態において、方法２００は、第１携帯電話１２をアクティブ化する段階に応答して、ジェネリック携帯電話１２のランダムアクセスメモリ２８内の第２の場所へ、無線通信により書き込みを行い、第２の複数のエンベデッドアプリケーションの１つを有効化する段階を含む。ジェネリック携帯電話１２のランダムアクセスメモリ２８内の第２の場所へ無線通信により書き込みを行う段階は、第１携帯電話１２をアクティブ化する段階の後に第１携帯電話１２へ提供される通信サービスと関連付けられた第１サービスブランドに少なくとも部分的に基づいて行われる。第１メモリ領域および第２メモリ領域はそれぞれ第１携帯電話１２および第２携帯電話内１２の互いに対応するアドレスにあり、ファームウェアは互いに対応するアドレスから読み出しを行い、ファームウェアが第１携帯電話１２上で実行される場合には、第１コンテンツを第１携帯電話上で提供し、ファームウェアが第２携帯電話上で実行される場合には、第２コンテンツを第２携帯電話１２上で提供する。
【００２６】
一実施形態において、第１携帯電話１２をアクティブ化する段階は、第１携帯電話１２のアイデンティティの移動通信交換局（ＭＳＣ）へのプロビジョニングを行う段階、第１携帯電話１２のアイデンティティのホームロケーションレジスタ（ＨＬＲ）へのプロビジョニングを行う段階、および第１携帯電話１２のアイデンティティのビジターロケーションレジスタ（ＶＬＲ）へのプロビジョニングを行う段階の少なくとも１つを有してよい。方法は、第１携帯電話１２のランダムアクセスメモリ２８内の第３の場所へ、ローミングエリア情報（ＰＲＬ）を無線通信により書き込む段階をさらに備えてよい。ここでエンベデッドロジックはさらに、携帯電話通話の発信を行うか、または携帯電話通話の受信を行うために、第１携帯電話１２のランダムアクセスメモリ２８内の第３の場所から読み出しを行う。第１のコンテンツの参照によって参照されるコンテンツは、第１サービスブランドのターンオンスプラッシュページ、第１サービスブランドのターンオントーン、第１サービスブランドのターンオフスプラッシュページ、第１サービスブランドのターンオフトーン、および第１サービスブランドのロゴのいずれか１つであってよい。
【００２７】
一実施形態において、方法２００は、第１サービスブランドと関連付けられた第１サービスブランドマークを外面上に有する第１バッテリカバーを、第１携帯電話から取り外す段階と、異なるサービスブランドと関連付けられた異なるサービスブランドマークを外面上に有する第２バッテリカバーを、第１携帯電話に取り付ける段階とをさらに備えてよい。
【００２８】
図４は、方法３００を示す。ブロック３０２において、ジェネリック携帯電話１２のメーカは、例えば仕様書により、ファームウェアまたはジェネリックファームウェアをジェネリック携帯電話にインストールするよう指示される。ここでジェネリック携帯電話１２は、ジェネリックファームウェア、およびジェネリック携帯電話１２にインストールされる実行プラットフォームに基づき認証される。複数のジェネリック携帯電話１２のそれぞれにインストールされるファームウェアは同じである。一実施形態において、ジェネリック携帯電話１２のハードウェアは実質的に同じであり、他の実施形態において、同じジェネリックファームウェアがロードされるジェネリック携帯電話１２の間で、ハードウェアに違いがあってもよい。このことによりメーカは、単一の認証のみを要する、つまりジェネリックファームウェアの認証のみを要する単一のジェネリック携帯電話モデルのみを届ければよいこととなり、デバイスのオーバーヘッドコストが低減される。対照的に他の状況においては、それぞれの設定が固有であり、結果的にファームウェアが固有である、および／またはバイナリが固有であることにより、別個の認証が必要となり得る。ブロック３０４において、実行プラットフォームが利用できるように第１コンテンツが認証される。ブロック３０６において、実行プラットフォームが利用できるように第２コンテンツが認証される。第１コンテンツおよび第２コンテンツがジェネリックファームウェアに対してではなく実行プラットフォームに対しテストおよび認証されるので、第１コンテンツおよび第２コンテンツは同じ実行プラットフォームを実行する他の携帯電話モデルに対しても用いることが出来、ジェネリック携帯電話１２にインストールされるファームウェアは変更されず、各組の固有のコンテンツに対する再認証は必要ではない。
【００２９】
ブロック３０８において、ジェネリック携帯電話の１つである第１携帯電話１２がアクティブ化される。ブロック３１０において、第１携帯電話１２をアクティブ化する段階に応答して、第１携帯電話１２と関連付けられた第１サービスブランドを自動的に識別する。ブロック３１２において、第１サービスブランドに基づき、第１携帯電話１２の第１メモリ領域へ、第１コンテンツの参照を無線通信により書き込む。このやり方により、第１サービスブランドと関連付けられたコンテンツが有効化される。ブロック３１４において、ジェネリック携帯電話のうち他の１つである第２携帯電話１２をアクティブ化する。ブロック３１６において、第２携帯電話１２をアクティブ化する段階に応答して、第２携帯電話１２と関連付けられた第２サービスブランドを自動的に識別する。ブロック３１８において、第２サービスブランドに基づき、第２携帯電話１２の第２メモリ領域へ、第２コンテンツの参照を無線通信により書き込む。携帯電話と関連付けられたサービスブランドに基づき、サービス提供者は、アクティブ化に際し適切なアプリケーションを有効化することにより、ジェネリック携帯電話をブランド設定された携帯電話へとアップデートすることが出来る。
【００３０】
一実施形態において、ジェネリック携帯電話１２は、連邦通信委員会（ＦＣＣ）の規格に準拠して認証されてもよい。一実施形態において、実行プラットフォームは、Ａｎｄｒｏｉｄ実行プラットフォーム、ＪＡＶＡ（登録商標）仮想マシン、Ｓｙｍｂｉａｎ実行プラットフォーム、ＢＲＥＷ実行プラットフォーム、ＷｅｂＯＳ実行プラットフォーム、Ｍｏｂｉｌｅ  Ｅｘｐｌｏｒｅｒ実行プラットフォーム、および従来から公知の、または現時点で存在しない他のモバイルデバイスオペレーティングシステムのうちいずれか１つであってよい。一実施形態において、第１コンテンツは、第１サービスブランドのターンオンスプラッシュスクリーンの参照、第１サービスブランドのターンオントーンの参照、第１サービスブランドのターンオフスプラッシュスクリーンの参照、第１サービスブランドのターンオフトーントーンの参照、第１サービスブランドのロゴの参照、第１サービスブランドのボイスメールの参照、および第１サービスブランドのオンラインストアの参照のうち少なくとも１つを識別するカスタム設定パックである。
【００３１】
図５はモバイルデバイス４００を示す。図５は本願発明の態様を実施するよう動作可能なモバイルデバイス４００を示すが、本願発明はこれら実施例に限定されない。モバイルデバイス４００は携帯電話として示されるが、無線ハンドセット、ポケベル、携帯端末（ＰＤＡ）、ゲームデバイス、在庫管理デバイス、メディアプレーヤ、デジタルカメラ、デジタル計算機、ポータブルコンピュータ、タブレットコンピュータ、ノート型コンピュータ、および／またはその他を含む様々な形態をとり得る。多くの適したハンドセットは、これらの機能のいくつか、または全てを併せ持つ。本願発明のいくつかの実施形態において、モバイルデバイス４００は、ポータブルなノート型またはタブレットコンピュータのような汎用のコンピューティングデバイスではなく、むしろ、携帯電話、無線ハンドセット、ポケベル、またはＰＤＡなどの特定用途向けの通信デバイスである。モバイルデバイス４００は、ゲーム、在庫管理、業務管理、および／またはタスク管理機能などの特化した活動に対応してよい。
【００３２】
モバイルデバイス４００は、ディスプレイ４０２、およびユーザが入力を行うのに用いるタッチセンサ面および／またはキー４０４を含む。モバイルデバイス４００は、ユーザが選択するオプション、ユーザが動作させる制御、および／またはユーザが指示を行うカーソルまたは他のインジケータを提供してよい。モバイルデバイス４００はさらに、ダイアル番号またはハンドセットの動作を設定するのに用いる様々なパラメータ値を含む、ユーザからのデータエントリを受け付けてよい。モバイルデバイス４００はさらに、ユーザの命令に応答して１以上のソフトウェアアプリケーションまたはファームウェアアプリケーションを実行してよい。これらアプリケーションは、モバイルデバイス４００がユーザとの相互作用に応答して様々なカスタム設定された機能を実行するよう設定を行ってもよい。さらにモバイルデバイス４００は、例えば無線基地局、無線アクセスポイント、またはピアモバイルデバイス４００などから無線通信により、プログラムされてもよく、および／または設定されてもよい。
【００３３】
図６はモバイルデバイス４００のブロック図を示す。ハンドセット４００の公知の様々なコンポーネントが示されるが、一実施形態において、列挙されたコンポーネントのおよび／または追加的な列挙されていないコンポーネントのサブセットが、モバイルデバイス４００に含まれてよい。モバイルデバイス４００は、デジタル信号プロセッサ（ＤＳＰ）５０２およびメモリ５０４を含む。示されるように、モバイルデバイス４００はさらに、アンテナ／フロントエンドユニット５０６，無線（ＲＦ）送受信機５０８、アナログベースバンド処理ユニット５１０、マイク５１２、イヤホンスピーカ５１４、ヘッドセットポート５１６、入出力インタフェース５１８、着脱可能なメモリカード５２０、ユニバーサルシリアルバス（ＵＳＢ）ポート５２２、赤外線ポート５２４、バイブレータ５２６、キーパッド５２８、タッチセンサ面を備えたタッチスクリーン液晶ディスプレイ（ＬＣＤ）５３０、タッチスクリーン／ＬＣＤコントローラ５３２、電荷結合素子（ＣＣＤ）カメラ５３４、カメラコントローラ５３６、およびグローバルポジショニングシステム（ＧＰＳ）センサ５３８を含んでよい。一実施形態において、モバイルデバイス４００はタッチセンサスクリーンが設けられていない他のタイプのディスプレイを含んでよい。一実施形態において、ＤＳＰ５０２は、入出力インタフェース５１８を介さずメモリ５０４と直接通信を行ってよい。
【００３４】
ＤＳＰ５０２、若しくは他の何らかの形態のコントローラまたは中央処理装置は、メモリ５０４内に格納された、またはＤＳＰ５０２自体に含まれるメモリ内に格納されたエンベデッドソフトウェアまたはファームウェアに従って、モバイルデバイス４００の様々なコンポーネントを制御するよう動作する。エンベデッドソフトウェアまたはファームウェアに加えて、ＤＳＰ５０２は、メモリ５０４に格納された、若しくは着脱可能なメモリカード５２０のようなポータブルなデータ記憶媒体などの情報担体媒体を介して、または有線および無線いずれか一方のネットワーク通信を介して利用可能となる他のアプリケーションを実行してよい。アプリケーションソフトウェアは、ＤＳＰ５０２が所望される機能を提供するよう設定を行う、組み合わせられた一式の機械可読命令を含んでよく、または、アプリケーションソフトウェアは、インタプリタまたはコンパイラにより処理され間接的にＤＳＰ５０２の設定を行うハイレベルソフトウェア命令であってよい。
【００３５】
無線信号と電気信号との間での変換を行い、モバイルデバイス４００による、無線アクセスネットワーク（ＲＡＮ）または他の何らかの利用可能な無線通信ネットワーク、若しくはピアモバイルデバイス４００への情報送信、またそれらからの情報受信を可能とするアンテナ／フロントエンドユニット５０６が設けられてよい。一実施形態において、アンテナ／フロントエンドユニット５０６は、ビーム形成および／またはマルチ入力マルチ出力（ＭＩＭＯ）動作に対応することが出来るよう複数のアンテナを含んでよい。当業者には公知であるように、ＭＩＭＯ動作により、困難なチャネル状況にも対処出来、および／またはチャネルスループットを増大させられる空間多様性をもたらすことが出来る。アンテナ／フロントエンドユニット５０６は、アンテナ同調および／またはインピーダンス整合コンポーネント、ＲＦ電力増幅器、および／または低雑音増幅器を含んでもよい。
【００３６】
ＲＦ送受信機５０８により周波数シフトが行われ、受信したＲＦ信号をベースバンド信号へ、およびベースバンド送信信号をＲＦ信号へ変換する。場合によっては、無線送受信機またはＲＦ送受信機は、変調／復調、符号化／復号化、インターリービング／デインターリービング、拡散／逆拡散、逆高速フーリエ変換（ＩＦＦＴ）／高速フーリエ変換（ＦＦＴ）、サイクリックプレフィックスの挿入／削除などの他の信号処理機能を含むものとして理解されてよい。説明を明確にすべく、ここでの説明は、この信号処理の説明をＲＦおよび／または無線の信号処理とは切り離し、概念的に当該信号処理を、アナログベースバンド処理ユニット５１０、並びに／若しくはＤＳＰ５０２または他の中央処理装置へ割り当てる。いくつかの実施形態において、ＲＦ送受信機５０８、アンテナ／フロントエンドユニット５０６のいくつかの部分、およびアナログベースバンド処理ユニット５１０は、１以上の処理ユニットおよび／または特定用途向け集積回路（ＡＳＩＣ）内で組み合わされてよい。
【００３７】
アナログベースバンド処理ユニット５１０は、例えば、マイク５１２およびヘッドセットポート５１６からの入力、並びにイヤホンスピーカ５１４およびヘッドセットポート５１６への出力のアナログ処理など、入力および出力の様々なアナログ処理を行ってよい。この目的において、アナログベースバンド処理ユニット５１０は、モバイルデバイス４００を携帯電話として用いることを可能とする内蔵マイク５１２およびイヤホンスピーカ５１４へ接続するポートを有してよい。アナログベースバンド処理ユニット５１０はさらに、ヘッドセットまたは他のハンズフリーマイクおよびスピーカ構造へ接続するポートを含んでよい。アナログベースバンド処理ユニット５１０は、１つの信号方向に関してデジタル−アナログ変換を行い、反対の信号方向に関してアナログ−デジタル変換を行ってもよい。いくつかの実施形態において、アナログベースバンド処理ユニット５１０の機能の少なくともいくつかは、例えばＤＳＰ５０２または他の中央処理装置などデジタル処理コンポーネントによって実現されてもよい。
【００３８】
ＤＳＰ５０２は、変調／復調、符号化／復号化、インターリービング／デインターリービング、拡散／逆拡散、逆高速フーリエ変換（ＩＦＦＴ）／高速フーリエ変換（ＦＦＴ）、サイクリックプレフィックスの挿入／削除、および無線通信に関連する他の信号処理機能を行ってよい。一実施形態において、例えば符号分割多重アクセス（ＣＤＭＡ）方式を用いる適用例において、送信機として機能すべくＤＳＰ５０２は、変調、符号化、インターリービング、および拡散を行ってよく、受信機として機能すべくＤＳＰ５０２は、逆拡散、デインターリービング、復号化、および復調を行ってよい。他の実施形態において、例えば直交周波数分割多元接続（ＯＦＤＭＡ）方式を用いた適用例において、送信機として機能すべくＤＳＰ５０２は、変調、符号化、インターリービング、逆高速フーリエ変換、およびサイクリックプレフィックスの挿入を行ってよく、受信機として機能すべくＤＳＰ５０２は、サイクリックプレフィックスの削除、高速フーリエ変換、デインターリービング、復号化、および復調を行ってよい。他の無線方式を用いた適用例において、さらに他の信号処理機能、および信号処理機能の組み合わせがＤＳＰ５０２により実現される。
【００３９】
ＤＳＰ５０２は、アナログベースバンド処理ユニット５１０を介して無線ネットワークと通信を行ってよい。いくつかの実施形態において、当該通信によりインターネットとの接続性がもたらされ、ユーザは、インターネット上のコンテンツへアクセス出来るようになり、Ｅメールまたはテキストメッセージの送信および受信を行えるようになる。入出力インタフェース５１８は、ＤＳＰ５０２と様々なメモリおよびインタフェースとを相互接続する。メモリ５０４および着脱可能なメモリカード５２０は、ＤＳＰ５０２の動作を設定するのに用いるソフトウェアおよびデータを提供する。インタフェースには、ＵＳＢポート５２２および赤外線ポート５２４が含まれてよい。ＵＳＢポート５２２が設けられることによりモバイルデバイス４００は、パーソナルコンピュータまたは他のコンピュータシステムと情報の交換を行う周辺機器として機能することが出来る。赤外線ポート５２４、およびＢｌｕｅｔｏｏｔｈ（登録商標）インタフェースまたはＩＥＥＥ８０２．１１に準拠した無線インタフェースなどの他の任意選択的に用いられるポートが設けられることにより、モバイルデバイス４００は、近くに位置する他のハンドセットおよび／または無線基地局と無線通信を行えるようになる。
【００４０】
入出力インタフェース５１８はさらにＤＳＰ５０２を、トリガされるとモバイルデバイス４００を振動させるバイブレータ５２６へ接続してよい。バイブレータ５２６は、電話発信、新たなテキストメッセージ、および予定のリマインドなど様々なイベントをユーザに無音で知らせるメカニズムとしての役割を果たしてよい。
【００４１】
キーパッド５２８はインタフェース５１８を介してＤＳＰ５０２と関連付けられ、ユーザが選択、情報入力、またはモバイルデバイス４００へ入力を与えるメカニズムを提供してよい。他の入力メカニズムは、テキストおよび／またはグラフィクスのユーザに対する提供も行うタッチスクリーンＬＣＤ５３０であってよい。タッチスクリーンＬＣＤコントローラ５３２は、ＤＳＰ５０２をタッチスクリーンＬＣＤ５３０へ関連付ける。
【００４２】
ＣＣＤカメラ５３４が設けられることにより、モバイルデバイス４００はデジタル写真を撮影することが出来るようになる。ＤＳＰ５０２はカメラコントローラ５３６を介してＣＣＤカメラ５３４と通信を行う。ＧＰＳセンサ５３８はグローバルポジショニングシステムの信号を復号化するＤＳＰ５０２と関連付けられており、このことにより、モバイルデバイス４００は自身の位置を判断することが可能となる。他の実施形態において、電荷結合素子カメラ以外の技術を用いて動作するカメラを採用してもよい。ラジオ受信およびテレビ受信など追加的な機能を提供するべく他の様々な周辺機器も含まれてよい。
【００４３】
図７は、ＤＳＰ５０２によって実装され得るソフトウェア環境６０２を示す。ＤＳＰ５０２は、残りのソフトウェアが動作するプラットフォームを提供するオペレーティングシステムソフトウェア６０４を実行する。オペレーティングシステムソフトウェア６０４は、アプリケーションソフトウェアにアクセス可能な標準化されたインタフェースを備えたハンドセットハードウェアに用いられる様々なドライバを提供してよい。オペレーティングシステムソフトウェア６０４は、モバイルデバイス４００で実行されるアプリケーション間で制御の転送を行うアプリケーション管理サービス（「ＡＭＳ」）６０６と関連付けられ、相互作用してよい。ウェブブラウザアプリケーション６０８、メディアプレーヤアプリケーション６１０、およびＪＡＶＡ（登録商標）アプレット６１２も図７に示されている。ウェブブラウザアプリケーション６０８は、モバイルデバイス４００がウェブブラウザとして動作し、ユーザが入力スペースに情報を入力し、ウェブページを検索し閲覧するべくリンクを選択出来るよう、設定を行う。メディアプレーヤアプリケーション６１０は、モバイルデバイス４００が音声または視聴覚メディアを読み出し、再生を行えるように設定を行う。ＪＡＶＡ（登録商標）アプレット６１２は、モバイルデバイス４００がゲーム、ユーティリティ、および他の機能を提供できるように設定を行う。
【００４４】
図８は、本明細書で開示する１以上の実施形態を実施するのに適したコンピュータシステム３８０を示す。コンピュータシステム３８０は、二次記憶装置３８４、読み出し専用メモリ（ＲＯＭ）３８６、ランダムアクセスメモリ（ＲＡＭ）３８８、入力／出力（Ｉ／Ｏ）装置３９０、およびネットワーク接続装置３９２を含むメモリ装置と通信を行う（中央処理装置またはＣＰＵとも呼ばれる）プロセッサ３８２を含む。プロセッサ３８２は１以上のＣＰＵチップとして実装されてもよい。
【００４５】
実行可能命令をコンピュータシステム３８０に対しプログラムおよび／またはロードすることにより、ＣＰＵ３８２、ＲＡＭ３８８、およびＲＯＭ３８６のうち少なくとも１つに変更が加えられ、コンピュータシステム３８０は部分的に、本願発明で説明される新規の機能を有する特定の機械または装置となる。電気工学およびソフトウェア工学の分野においては、実行可能なソフトウェアをコンピュータへロードすることにより実装可能な機能を、周知の設計ルールを用いることによりハードウェアによる実装へと変更できることは基礎的知識である。任意のコンセプトをソフトウェアで実装するか、ハードウェアで実装するかの決定は、典型的には、ソフトウェアの分野からハードウェアの分野への転換に伴う課題よりもむしろ、設計の安定性、および製造されるユニット数に関する検討次第である。一般的に、変更を加えられることが多い設計の場合、ハードウェアによる実装のリスピンはソフトウェアの設計のリスピンよりもコストが高くなるので、ソフトウェアでの実装が好ましい。一般的に、大規模な生産工程において、ハードウェアによる実装の方が、ソフトウェアによる実装よりもコストが低くなり得るので、安定性が高く大規模に製造され得る設計の場合、例えば特定用途向け集積回路（ＡＳＩＣ）などのハードウェアによる実装が好ましい。よく行われるように、任意の設計をソフトウェアの形態で開発およびテストし、周知の設計ルールによりその後、当該ソフトウェアの命令を組み込む特定用途向け集積回路において、同等のハードウェア実装を行うよう転換を行ってもよい。特定の機械または装置内の新たなＡＳＩＣにより制御される機械と同じやり方で、実行可能命令をプログラムされた、および／またはロードされたコンピュータを、特定の機械または装置として見なしてもよい。
【００４６】
二次記憶装置３８４は典型的には、１以上のディスクドライブまたはテープドライブから構成されており、データの不揮発性格納に用い、またＲＡＭ３８８が作業用データの全てを保持出来るほど大容量ではない場合、オーバーフローしたデータの記憶装置として用いられる。二次記憶装置３８４は、ＲＡＭ３８８にロードされたプログラムが選択され実行される際に、当該プログラムを格納するのに用いられてよい。ＲＯＭ３８６は、プログラム実行の間に読み出される命令、および場合によってはデータを格納するのに用いられる。ＲＯＭ３８６は、二次記憶装置３８４のメモリ容量が大きいのに対し、メモリ容量が典型的には小さい不揮発性メモリデバイスである。ＲＡＭ３８８は、揮発性データ、および場合によっては命令を格納するのに用いられる。ＲＯＭ３８６およびＲＡＭ３８８へのアクセスは、典型的には、二次記憶装置３８４へのアクセスよりも高速で行われる。二次記憶装置３８４、ＲＡＭ３８８、および／またはＲＯＭ３８６は、場合によっては、コンピュータ可読記憶媒体および／または非一時的コンピュータ可読媒体と呼ばれることもある。
【００４７】
Ｉ／Ｏ装置３９０は、プリンタ、ビデオモニタ、液晶ディスプレイ（ＬＣＤ）、タッチスクリーンディスプレイ、キーボード、キーパッド、スイッチ、ダイアル、マウス、トラックボール、音声認識装置、カードリーダ、穿孔テープリーダ、または他の周知の入力装置であってよい。
【００４８】
ネットワーク接続装置３９２は、モデム、モデムバンク、Ｅｔｈｅｒｎｅｔ（登録商標）カード、ユニバーサルシリアルバス（ＵＳＢ）インタフェースカード、シリアルインタフェース、トークンリングカード、光ファイバ分散データインタフェース（ＦＤＤＩ）カード、無線ローカルエリアネットワーク（ＷＬＡＮ）カード、例えば符号分割多重アクセス（ＣＤＭＡ）、グローバルシステムフォーモバイルコミュニケーションズ（ＧＳＭ（登録商標））、ロングタームエボリューション（ＬＴＥ）、ワイマックス（ＷｉＭＡＸ）などの無線送受信機カード、他のエアインタフェースプロトコル無線送受信機カード、および他の周知のネットワーク装置の形態であってよい。これらのネットワーク接続装置３９２を用いることにより、プロセッサ３８２はインターネットまたは１以上の他のイントラネットと通信を行うことが可能となる。そのようなネットワーク接続により、上述した方法の段階を実行する過程で、プロセッサ３８２がネットワークから情報を受信し、またはネットワークへ情報を出力することが考えられる。プロセッサ３８２を用いて実行される一連の命令として示されることが多いそのような情報は、例えば搬送波として実装されるコンピュータデータ信号の形態などで、ネットワークから受信され、およびネットワークへ出力されてよい。
【００４９】
データ、または例えばプロセッサ３８２を用いて実行される命令を含んでよいそのような情報は、例えばコンピュータデータベースバンド信号または搬送波として実装される信号の形態などで、ネットワークから受信され、およびネットワークへ出力されてよい。ネットワーク接続装置３９２により生成される、ベースバンド信号または搬送波として実装される信号は、導電体内または導電体の表面上を、同軸ケーブル内を、導波管内を、例えば光ファイバなどの光導管内を、若しくは空気中または自由空間内を、伝搬してよい。ベースバンド信号または搬送波として実装される信号に含まれる情報は、当該情報の処理および生成のいずれか、若しくは当該情報の送信および受信のいずれかに適するよう、異なる複数の順序に従って順番付されてよい。ベースバンド信号または搬送波として実装される信号、若しくは従来用いられている、または今後開発される他のタイプの信号は、当業者には周知のいくつかの方法に従って生成されてよい。ベースバンド信号および／または搬送波として実装される信号は、場合によっては、一時的な信号を呼ばれることもある。
【００５０】
プロセッサ３８２は、ハードディスク、フロッピー（登録商標）ディスク、光ディスク（これらの様々なディスクベースのシステムは二次記憶装置３８４と見なすことも出来る）、ＲＯＭ３８６、ＲＡＭ３８８、またはネットワーク接続装置３９２へアクセスすることにより得られる命令、コード、コンピュータプログラム、およびスクリプトを実行してもよい。１つのプロセッサ３８２のみが示されているが、複数のプロセッサが存在してもよい。よって、命令が単一のプロセッサによって実行されるものとして説明することも出来るが、命令は、同時に、順次に、若しくは他のやり方で１以上のプロセッサによって実行されてもよい。例えばハードドライブ、フロッピー（登録商標）ディスク、光ディスク、および／または他のデバイスなどの二次記憶装置３８４、ＲＯＭ３８６、および／またはＲＡＭ３８８にアクセスすることにより得ることが出来る命令、コード、コンピュータプログラム、スクリプト、および／またはデータは、場合によっては、非一時的な命令および／または非一時的な情報と呼ぶことが出来る。
【００５１】
一実施形態において、コンピュータシステム３８０は、互いに通信を行い共同でタスクを実行する２以上のコンピュータを備えてよい。例えばアプリケーションは、当該アプリケーションの命令を同時に、および／または並行して処理出来るよう分割されてもよいが、このことは必須ではない。代替的に、アプリケーションにより処理されるデータは、２以上のコンピュータがデータセットの異なる複数の部分を同時に、および／または並行して処理できるように分割されてもよい。一実施形態において、コンピュータシステム３８０内のコンピュータの数と同数とは限らない複数のサーバの機能を実現すべく、コンピュータシステム３８０で仮想化ソフトウェアを用いてもよい。例えば、仮想化ソフトウェアを用いることによって、４つの物理的コンピュータ上で２０の仮想サーバを実現してもよい。一実施形態において、上述した機能は、クラウドコンピューティング環境で上述したアプリケーションおよび／またはその他のアプリケーションを実行することに実現してもよい。クラウドコンピューティングは、動的に拡張可能なコンピューティング資源を用いてネットワーク接続を介して、コンピューティングサービスを提供してよい。クラウドコンピューティングは少なくとも部分的に、仮想化ソフトウェア  によりサポートされてよい。クラウドコンピューティング環境は、企業によって構築されてもよく、および／または、サードパーティのプロバイダから必要に応じて採用されてもよい。クラウドコンピューティング環境によっては、企業により所有され運用されるクラウドコンピューティング資源、およびサードパーティのプロバイダから採用される、および／またはリースされるクラウドコンピューティング資源を備えてもよい。
【００５２】
一実施形態において、上述した機能のいくつかまたは全てが、コンピュータプログラム製品として実現されてよい。当該コンピュータプログラム製品は、上述した機能を実施するコンピュータ利用可能プログラムコードが実装された１以上のコンピュータ可読記憶媒体を備えてよい。当該コンピュータプログラム製品は、データ構造、実行可能命令、および他のコンピュータ利用可能プログラムコードを備えてよい。当該コンピュータプログラム製品は、着脱可能なコンピュータ記憶媒体、および／または着脱不可能なコンピュータ記憶媒体内で実装されてよい。着脱可能なコンピュータ可読記憶媒体は、例えば、アナログ磁気テープ、コンパクトディスク読み出し専用メモリ（ＣＤ−ＲＯＭ）ディスク、フロッピー（登録商標）ディスク、ジャンプドライブ、デジタルカード、マルチメディアカードなどの穿孔テープ、磁気テープ、磁気ディスク、光ディスク、固体メモリチップなどであってよいが、これらに限定されない。コンピュータプログラム製品は、コンピュータシステム３８０により、当該コンピュータプログラム製品のコンテンツの少なくともいくつかの部分を二次記憶装置３８４、ＲＯＭ３８６、ＲＡＭ３８８、および／またはコンピュータシステム３８０の他の不揮発性メモリおよび揮発性メモリへロードするのに適していてよい。プロセッサ３８２は、例えばコンピュータシステム３８０の周辺機器であるディスクドライブへ挿入されるＣＤ−ＲＯＭディスクから実行可能命令および／またはデータ構造を読み出すなどにより、コンピュータプログラム製品に直接的にアクセスすることにより部分的に、当該実行可能命令および／またはデータ構造の処理を行ってよい。代替的に、プロセッサ３８２は、例えばネットワーク接続装置３９２を介して遠隔サーバから実行可能命令および／またはデータ構造をダウンロードするなどにより、コンピュータプログラム製品に遠隔アクセスすることにより、当該実行可能命令および／またはデータ構造の処理を行ってもよい。コンピュータプログラム製品は、データ、データ構造、ファイル、および／または実行可能命令の、二次記憶装置３８４、ＲＯＭ３８６、ＲＡＭ３８８、および／またはコンピュータシステム３８０の他の不揮発性メモリおよび揮発性メモリへのロードおよび／またはコピーを促す命令を備えてよい。
【００５３】
場合によっては、ベースバンド信号および／または搬送波として実装される信号は、一時的な信号として呼ぶこともある。場合によっては、二次記憶装置３８４、ＲＯＭ３８６、およびＲＡＭ３８８は、非一時的コンピュータ可読媒体またはコンピュータ可読記憶媒体と呼ぶこともある。ダイナミックＲＡＭとして実装されるＲＡＭ３８８も同様に、ダイナミックＲＡＭが、例えばコンピュータ３８０の電源が入れられ動作する期間、電気出力を受け、ダイナミックＲＡＭの設計に従って動作し、かつ書き込まれた情報を格納するという点で、非一時的コンピュータ可読媒体と呼ぶことがある。同様に、プロセッサ３８２は、内部ＲＡＭ、内部ＲＯＭ、キャッシュメモリ、および／または、他の内部の、場合によっては非一時的コンピュータ可読媒体またはコンピュータ可読記憶媒体と呼ぶこともある非一時的記憶ブロック、セクション、またはコンポーネントを含んでよい。
【００５４】
本開示においていくつかの実施形態を説明してきたが、開示されるシステムおよび方法は、本願発明の思想または態様から逸脱することなく、他の多くの特定的な形態で実施することが可能である。本実施例は例示的なものとして見なされるべきであり、限定的なものとして見なされるべきではない。またそれらの意図は、本明細書で説明される詳細によって限定されない。例えば、様々な要素またはコンポーネントは、他のシステムにおいて組み合わせられるか、または統合されてよく、若しくは、特定の特徴が省略され、実装されなくてもよい。
【００５５】
また、様々な実施形態において別々の、または独立しているものとして説明し、示した技術、システム、サブシステム、および方法は、本願発明の態様から逸脱することなく、他のシステム、モジュール、技術、または方法と組み合わせられ得、または統合され得る。直接的に関連付けられるか、または互いに通信を行うものとして示され説明された他の要素は、何らかのインタフェース、デバイス、または中間コンポーネントを介して電気的に、機械的に、または他の方式により間接的に関連付けられるか、または互いに通信を行ってもよい。当業者であれば、本明細書に説明される思想及び態様から逸脱することなく、変更、置換、および修正の他の例を思いつくことが可能である。
そして、以上に説明した実施形態によれば、以下の各項目に示す方法およびサーバもまた開示される。
（項目１）  携帯電話に対し無線通信サービスを提供する方法であって、共に同モデルのジェネリック携帯電話をベースとする第１ブランドの携帯電話モデルおよび第２ブランドの携帯電話モデルの両方に用いられる、第１の複数のエンベデッドアプリケーションを識別する段階と、前記第１ブランドの携帯電話モデルに用いられ、前記第２ブランドの携帯電話モデルに用いられない第２の複数のエンベデッドアプリケーションを識別する段階と、読み出し専用メモリ（ＲＯＭ）に前記第１の複数のエンベデッドアプリケーションおよび前記第２の複数のエンベデッドアプリケーションがインストールされ、前記第２の複数のエンベデッドアプリケーションの機能がランダムアクセスメモリ（ＲＡＭ）内の１以上の書き込み可能パラメータに基づき有効化され、前記読み出し専用メモリ内にインストールされたエンベデッドロジックであって前記ランダムアクセスメモリ内の第１の場所から読み出しを行い前記エンベデッドロジックにより与えられるべきコンテンツの参照を得る前記エンベデッドロジックを有する前記ジェネリック携帯電話である第１携帯電話をアクティブ化する段階と、前記第１携帯電話をアクティブ化する段階に応答して、前記第１携帯電話の前記ランダムアクセスメモリ内の前記第１の場所へ第１のコンテンツの参照を無線通信により書き込んで、前記第１携帯電話を前記第１ブランドの携帯電話モデルに適合する構成とする段階とを備える方法。
（項目２）  前記ジェネリック携帯電話である第２携帯電話をアクティブ化する段階と、前記第２携帯電話をアクティブ化する段階に応答して、前記第２携帯電話の前記ランダムアクセスメモリ内の前記第１の場所へ前記第１のコンテンツの参照とは異なる第２のコンテンツの参照を無線通信により書き込む段階であり、前記第２携帯電話を前記第２ブランドの携帯電話モデルに適合する構成とする段階とをさらに備える、項目１に記載の方法。
（項目３）  前記第１携帯電話をアクティブ化する段階に応答して、前記ジェネリック携帯電話の前記ランダムアクセスメモリの第２の場所へ無線通信により書き込みを行い、前記第２の複数のエンベデッドアプリケーションの１つを有効化する段階をさらに備える、項目１または２に記載の方法。
（項目４）  前記ジェネリック携帯電話の前記ランダムアクセスメモリの前記第２の場所へ無線通信により書き込みを行う段階は、前記第１携帯電話をアクティブ化する段階の後に前記第１携帯電話へ提供される通信サービスと関連付けられた第１サービスブランドに少なくとも部分的に基づいて行われる、項目３に記載の方法。
（項目５）  前記第１携帯電話をアクティブ化する段階は、前記第１携帯電話のアイデンティティの移動通信交換局（ＭＳＣ）へのプロビジョニングを行う段階、前記第１携帯電話の前記アイデンティティのホームロケーションレジスタ（ＨＬＲ）へのプロビジョニングを行う段階、および前記第１携帯電話の前記アイデンティティのビジターロケーションレジスタ（ＶＬＲ）へのプロビジョニングを行う段階の少なくとも１つを有する、項目１から４のいずれか１項に記載の方法。
（項目６）  前記第１携帯電話の前記ランダムアクセスメモリ内の第３の場所へ、ローミングエリア情報（ＰＲＬ）を無線通信により書き込む段階を備え、前記エンベデッドロジックはさらに、携帯電話通話の発信を行うか、または携帯電話通話の受信を行うために前記第１携帯電話の前記ランダムアクセスメモリ内の前記第３の場所から読み出しを行う、項目１から５のいずれか１項に記載の方法。
（項目７）  前記第１のコンテンツの参照によって参照される前記コンテンツは、第１サービスブランドのターンオンスプラッシュページ、第１サービスブランドのターンオントーン、第１サービスブランドのターンオフスプラッシュページ、第１サービスブランドのターンオフトーン、および第１サービスブランドのロゴの少なくとも１つである、項目１から６のいずれか１項に記載の方法。
（項目８）  携帯電話に対し無線通信サービスを提供する方法であって、実行プラットフォームが利用できるように第１コンテンツを認証する段階と、前記実行プラットフォームが利用できるように第２コンテンツを認証する段階と、複数のジェネリック携帯電話のうち、インストールされたファームウェアおよび前記実行プラットフォームに基づいて認証される１つのジェネリック携帯電話である第１携帯電話をアクティブ化する段階と、前記第１携帯電話をアクティブ化する段階に応答して、前記第１携帯電話と関連付けられた第１サービスブランドを自動的に識別する段階と、前記第１サービスブランドに基づき、前記第１携帯電話の第１メモリ領域へ、前記第１コンテンツの参照を無線通信により書き込む段階と、前記複数のジェネリック携帯電話のうち他の１つである第２携帯電話をアクティブ化する段階と、前記第２携帯電話をアクティブ化する段階に応答して、前記第２携帯電話と関連付けられた第２サービスブランドを自動的に識別する段階と、前記第２サービスブランドに基づき、前記第２携帯電話の第２メモリ領域へ、前記第２コンテンツの参照を無線通信により書き込む段階とを備える方法。
（項目９）  前記第１メモリ領域および前記第２メモリ領域における前記第１携帯電話および前記第２携帯電話のそれぞれ互いに対応するアドレスにあり、前記ファームウェアは前記互いに対応するアドレスから読み出しを行い、前記ファームウェアが前記第１携帯電話上で実行される場合には、前記第１コンテンツを前記第１携帯電話上で提供し、前記ファームウェアが前記第２携帯電話上で実行される場合には、前記第２コンテンツを前記第２携帯電話上で提供する、項目８に記載の方法。
（項目１０）  前記実行プラットフォームは、Ａｎｄｒｏｉｄ実行プラットフォーム、ＪＡＶＡ（登録商標）仮想マシン、Ｓｙｍｂｉａｎ実行プラットフォーム、ＢＲＥＷ実行プラットフォーム、ＷｅｂＯＳ実行プラットフォーム、およびＭｏｂｉｌｅ  Ｅｘｐｌｏｒｅｒ実行プラットフォームのうちいずれか１つである、項目８または９に記載の方法。
（項目１１）  前記第１コンテンツは、第１サービスブランドのターンオンスプラッシュスクリーンの参照、第１サービスブランドのターンオントーンの参照、第１サービスブランドのターンオフスプラッシュスクリーンの参照、第１サービスブランドのターンオフトーントーンの参照、第１サービスブランドのロゴの参照、第１サービスブランドのボイスメールの参照、および第１サービスブランドのオンラインストアの参照のうち少なくとも１つを識別するカスタム設定パックである、項目８から１０のいずれか１項に記載の方法。
（項目１２）  前記第１携帯電話を非アクティブ化する段階と、前記第１携帯電話を、前記第１携帯電話の第１読み出し専用メモリからのジェネリック携帯電話出荷時設定に戻す段階と、前記第１携帯電話を再アクティブ化する段階と、前記第１携帯電話を再アクティブ化する段階に応答して、前記第１携帯電話と関連付けられた第３サービスブランドを自動的に識別する段階と、前記第３サービスブランドに基づき、前記第１携帯電話の前記第１メモリ領域へ、第３コンテンツの参照を無線通信により書き込む段階とをさらに備える、項目８から１１のいずれか１項に記載の方法。
（項目１３）  前記第１サービスブランドと関連付けられた第１サービスブランドマークを外面上に有する第１バッテリカバーを、前記第１携帯電話から取り外す段階と、前記第３サービスブランドと関連付けられた第２サービスブランドマークを外面上に有する第２バッテリカバーを、前記第１携帯電話に取り付ける段階とをさらに備える、項目１２に記載の方法。
（項目１４）  サービスアウェアネスプロビジョニングサーバであり、１以上のプロセッサと、メモリと、前記メモリに格納されるアプリケーションであって、前記１以上のプロセッサにより実行されると共通のファームウェアがインストールされた複数のジェネリック携帯電話のうちの１つである第１携帯電話から第１アクティブ化メッセージを受信し、前記第１アクティブ化メッセージに応答して、前記第１携帯電話と関連付けられた第１サービスブランドを識別し、前記第１サービスブランドに基づき、前記第１携帯電話のメモリへ、前記第１サービスブランドと関連付けられた第１ターンオンスプラッシュスクリーン、前記第１サービスブランドと関連付けられた第１ターンオントーン、前記第１サービスブランドと関連付けられた第１ターンオフスプラッシュスクリーン、前記第１サービスブランドと関連付けられた第１ターンオフトーン、前記第１サービスブランドと関連付けられた第１ボイスメールサービスへの参照、および前記第１サービスブランドと関連付けられたオンラインストアのユニバーサル参照ロケータ（ＵＲＬ）のうちいずれか１つである第１コンテンツの参照を無線通信により書き込み、前記複数のジェネリック携帯電話のうち他の１つである第２携帯電話から第２アクティブ化メッセージを受信し、前記第２アクティブ化メッセージに応答して、前記第２携帯電話と関連付けられた第２サービスブランドを識別し、前記第２サービスブランドに基づき、前記第２携帯電話のメモリへ、前記第２サービスブランドと関連付けられた第２ターンオンスプラッシュスクリーン、前記第２サービスブランドと関連付けられた第２ターンオントーン、前記第２サービスブランドと関連付けられた第２ターンオフスプラッシュスクリーン、前記第２サービスブランドと関連付けられた第２ターンオフトーン、前記第２サービスブランドと関連付けられた第２ボイスメールサービスへの参照、および前記第２サービスブランドと関連付けられたオンラインストアのユニバーサル参照ロケータ（ＵＲＬ）のうちいずれか１つである第２コンテンツの参照を無線通信により書き込む、アプリケーションとを備えるサービスアウェアネスプロビジョニングサーバ。
（項目１５）  前記サーバは、複数のコンピュータにある複数のプロセッサを有する、項目１４に記載のサービスアウェアネスプロビジョニングサーバ。
（項目１６）  前記第１サービスブランドに基づき前記アプリケーションは、前記第１携帯電話の前記メモリへパラメータを無線通信により書き込み、前記複数のジェネリック携帯電話にインストールされるファームウェアの休止状態にある機能を有効化する、項目１４または１５に記載のサービスアウェアネスプロビジョニングサーバ。
（項目１７）  前記アプリケーションはさらに、前記第１携帯電話と関連付けられたサービスプランを分析し、前記アプリケーションは、前記第１携帯電話と関連付けられた前記サービスプランに少なくとも部分的に基づき、前記第１コンテンツの参照を書き込む、項目１４から１６のいずれか１項に記載のサービスアウェアネスプロビジョニングサーバ。
（項目１８）  前記複数のジェネリック携帯電話のそれぞれにはＡｎｄｒｏｉｄ実行プラットフォームがインストールされ、前記第１コンテンツおよび前記第２コンテンツは、前記Ａｎｄｒｏｉｄ実行プラットフォームで利用され得るよう認証される、項目１４から１７のいずれか１項に記載のサービスアウェアネスプロビジョニングサーバ。
（項目１９）  前記複数のジェネリック携帯電話のそれぞれは単一の認証処理により認証される、項目１４から１８のいずれか１項に記載のサービスアウェアネスプロビジョニングサーバ。
（項目２０）  前記複数のジェネリック携帯電話は、１つの在庫保管単位（ＳＫＵ）番号と関連付けられる、項目１４から１９のいずれか１項に記載のサービスアウェアネスプロビジョニングサーバ。
【図１】
0005924347.tif 000002
【図２】
0005924347.tif 000003
【図３】
0005924347.tif 000004
【図４】
0005924347.tif 000005
【図５】
0005924347.tif 000006
【図６】
0005924347.tif 000007
【図７】
0005924347.tif 000008
【図８】
0005924347.tif 000009